(57)【特許請求の範囲】
【請求項１】
第２のセルのシステム情報（ＳＩ）を獲得するために第１のセルと通信する無線デバイスにおいて用いるための方法であって、前記第１のセルは２つ以上の送信時間間隔（ＴＴＩ）を用いるように動作可能であり、前記方法は、
前記第２のセルのＳＩを獲得するための要求を取得すること（８１２）と、
時間期間（Ｔ０）の間に前記第２のセルの前記ＳＩを取得すること（８１４）と、
前記第１のセル内の前記無線デバイスとの無線通信に用いられるＴＴＩ長を決定すること（８１６）と、
時間Ｔ０の間に前記第１のセルからダウンリンクデータを受信すること（８１８）に応答して、
前記決定されたＴＴＩ長が第１のＴＴＩ値（ＴＴＩ１）に等しいとき、Ｔ０の間に前記第１のセルのアップリンクにおいて第１の最小数（Ｎ１）のアップリンクフィードバック信号を送信すること（８２０）と、
前記決定されたＴＴＩ長が第２のＴＴＩ値（ＴＴＩ２）に等しいとき、Ｔ０の間に前記第１のセルの前記アップリンクにおいて第２の最小数（Ｎ２）のアップリンクフィードバック信号を送信すること（８２０）と、を含む方法。
【請求項２】
前記ＴＴＩ長を決定すること（８１６）は、前記第１のセルにおいて用いられるアップリンクＴＴＩ長と前記第１のセルにおいて用いられるダウンリンクＴＴＩ長との一方を決定することを含む、請求項１に記載の方法。
【請求項３】
前記第２のセルの前記ＳＩを獲得すること（８１４）は、複数の測定ギャップにおいて信号を測定することを含み、前記方法は、
前記無線デバイスがＴ０の間にＮ１またはＮ２のアップリンクフィードバック信号を送信することができないとき、前記測定ギャップの数を低減するかまたはＴ０を増加させることをさらに含む、請求項１または２に記載の方法。
【請求項４】
測定ギャップは、時間Ｔ０の間に少なくとも前記第１のセルにおいて前記無線デバイスによって作成された自律的ギャップを含む、請求項３に記載の方法。
【請求項５】
ＴＴＩ１はＴＴＩ２よりも短い持続期間であり、Ｎ１はＮ２よりも大きい、請求項１から４のいずれか一項に記載の方法。
【請求項６】
ＴＴＩ１は１ｍｓよりも短く、Ｎ１は６０よりも大きい、請求項５に記載の方法。
【請求項７】
Ｎ１およびＮ２は、前記第１のセルの時分割複信（ＴＤＤ）のアップリンク／ダウンリンクサブフレーム設定に依存する、請求項１から６のいずれか一項に記載の方法。
【請求項８】
前記第１のセルは周波数分割複信（ＦＤＤ）動作用に設定され、
Ｔ０は１５０ｍｓに等しく、かつ
ＴＴＩ１が２−ｏｓに等しいとき、Ｎ１は４６５に等しく、
ＴＴＩ１が４−ｏｓに等しいとき、Ｎ１は２７９に等しく、
ＴＴＩ１が７−ｏｓに等しいとき、Ｎ１は１６４に等しく、
ＴＴＩ１が１４−ｏｓに等しいとき、Ｎ１は６０に等しい、請求項１から６のいずれか一項に記載の方法。
【請求項９】
前記アップリンクフィードバック信号はハイブリッド自動再送要求（ＨＡＲＱ）の肯定応答（ＡＣＫ）信号と否定応答（ＮＡＣＫ）信号を含む、請求項１から８のいずれか一項に記載の方法。
【請求項１０】
第２のセル（１１５）のシステム情報（ＳＩ）を獲得するために第１のセル（１１５）と通信する無線デバイス（１１０）であって、前記第１のセルは２つ以上の送信時間間隔（ＴＴＩ）を用いるように動作可能であり、前記無線デバイスは、
前記第２のセルのＳＩを獲得するための要求を取得し、
時間期間（Ｔ０）の間に前記第２のセルの前記ＳＩを取得し、
前記第１のセル内の前記無線デバイスとの無線通信に用いられるＴＴＩ長を決定し、
時間Ｔ０の間に前記第１のセルからダウンリンクデータを受信することに応答して、
前記決定されたＴＴＩ長が第１のＴＴＩ値（ＴＴＩ１）に等しいとき、Ｔ０の間に前記第１のセルのアップリンクにおいて第１の最小数（Ｎ１）のアップリンクフィードバック信号を送信し、
前記決定されたＴＴＩ長が第２のＴＴＩ値（ＴＴＩ２）に等しいとき、Ｔ０の間に前記第１のセルの前記アップリンクにおいて第２の最小数（Ｎ２）のアップリンクフィードバック信号を送信するように動作可能である処理回路（１２２０）を備える無線デバイス。
【請求項１１】
前記処理回路は、前記第１のセルにおいて用いられるアップリンクＴＴＩ長と前記第１のセルにおいて用いられるダウンリンクＴＴＩ長との一方を決定することによって、前記ＴＴＩ長を決定するように動作可能である、請求項１０に記載の無線デバイス。
【請求項１２】
前記処理回路は、複数の測定ギャップにおいて信号を測定することによって前記第２のセルの前記ＳＩを取得するように動作可能であり、前記処理回路はさらに、
前記無線デバイスがＴ０の間にＮ１またはＮ２のアップリンクフィードバック信号を送信することができないとき、前記測定ギャップの数を低減するかまたはＴ０を増加させるように動作可能である、請求項１０または１１に記載の無線デバイス。
【請求項１３】
測定ギャップは、時間Ｔ０の間に少なくとも前記第１のセルにおいて前記無線デバイスによって作成された自律的ギャップを含む、請求項１２に記載の無線デバイス。
【請求項１４】
ＴＴＩ１はＴＴＩ２よりも短い持続期間であり、Ｎ１はＮ２よりも大きい、請求項１０から１３のいずれか一項に記載の無線デバイス。
【請求項１５】
ＴＴＩ１は１ｍｓよりも短く、Ｎ１は６０よりも大きい、請求項１４に記載の無線デバイス。
【請求項１６】
Ｎ１およびＮ２は、前記第１のセルの時分割複信（ＴＤＤ）のアップリンク／ダウンリンクサブフレーム設定に依存する、請求項１０から１５のいずれか一項に記載の無線デバイス。
【請求項１７】
前記第１のセルは周波数分割複信（ＦＤＤ）動作用に設定され、
Ｔ０は１５０ｍｓに等しく、かつ
ＴＴＩ１が２−ｏｓに等しいとき、Ｎ１は４６５に等しく、
ＴＴＩ１が４−ｏｓに等しいとき、Ｎ１は２７９に等しく、
ＴＴＩ１が７−ｏｓに等しいとき、Ｎ１は１６４に等しく、
ＴＴＩ１が１４−ｏｓに等しいとき、Ｎ１は６０に等しい、請求項１０から１５のいずれか一項に記載の無線デバイス。
【請求項１８】
前記アップリンクフィードバック信号はハイブリッド自動再送要求（ＨＡＲＱ）の肯定応答（ＡＣＫ）信号と否定応答（ＮＡＣＫ）信号を含む、請求項１０から１７のいずれか一項に記載の無線デバイス。
【請求項１９】
第２のセルのシステム情報（ＳＩ）を獲得するように無線デバイスを設定するために、第１のセルのネットワークノードにおいて用いるための方法であって、前記第１のセルは２つ以上の送信時間間隔（ＴＴＩ）を用いるように動作可能であり、前記方法は、
時間期間（Ｔ０）の間に前記第２のセルのＳＩを獲得するように前記無線デバイスを設定すること（１１６２）と、
前記第１のセル内の前記無線デバイスとの無線通信に用いられるＴＴＩ長を決定すること（１１６４）と、
時間Ｔ０の間に前記無線デバイスへのダウンリンクデータの連続的割振りを送信すること（１１６６）と、
前記決定されたＴＴＩ長が第１のＴＴＩ値（ＴＴＩ１）に等しいとき、Ｔ０の間に前記無線デバイスから第１の最小数（Ｎ１）のアップリンクフィードバック信号を受信すること（１１６８）と、
前記決定されたＴＴＩ長が第２のＴＴＩ値（ＴＴＩ２）に等しいとき、Ｔ０の間に前記無線デバイスから第２の最小数（Ｎ２）のアップリンクフィードバック信号を受信すること（１１６８）と、を含む方法。
【請求項２０】
前記ＴＴＩ長を決定すること（１１６４）は、前記第１のセルにおいて用いられるアップリンクＴＴＩ長と前記第１のセルにおいて用いられるダウンリンクＴＴＩ長との一方を決定することを含む、請求項１９に記載の方法。
【請求項２１】
前記ネットワークノードがＴ０の間にＮ１またはＮ２のアップリンクフィードバック信号を受信しない場合、Ｔ０を増加させることをさらに含む、請求項１９または２０に記載の方法。
【請求項２２】
ＴＴＩ１はＴＴＩ２よりも短い持続期間を含み、Ｎ１はＮ２よりも大きい、請求項１９から２１のいずれか一項に記載の方法。
【請求項２３】
ＴＴＩ１は１ｍｓよりも短く、Ｎ１は６０よりも大きい、請求項２０に記載の方法。
【請求項２４】
Ｎ１およびＮ２は、前記第１のセルの時分割複信（ＴＤＤ）のアップリンク／ダウンリンクサブフレーム設定に依存する、請求項１９から２３のいずれか一項に記載の方法。
【請求項２５】
前記第１のセルは周波数分割複信（ＦＤＤ）動作用に設定され、
Ｔ０は１５０ｍｓに等しく、かつ
ＴＴＩ１が２−ｏｓに等しいとき、Ｎ１は４６５に等しく、
ＴＴＩ１が４−ｏｓに等しいとき、Ｎ１は２７９に等しく、
ＴＴＩ１が７−ｏｓに等しいとき、Ｎ１は１６４に等しく、
ＴＴＩ１が１４−ｏｓに等しいとき、Ｎ１は６０に等しい、請求項１９から２３のいずれか一項に記載の方法。
【請求項２６】
前記アップリンクフィードバック信号はハイブリッド自動再送要求（ＨＡＲＱ）の肯定応答（ＡＣＫ）信号と否定応答（ＮＡＣＫ）信号を含む、請求項１９から２５のいずれか一項に記載の方法。
【請求項２７】
第２のセル（１１５）のシステム情報（ＳＩ）を獲得するように無線デバイス（１１０）を設定することが可能な第１のセル（１１５）のネットワークノード（１２０）であって、前記第１のセルは２つ以上の送信時間間隔（ＴＴＩ）を用いるように動作可能であり、前記ネットワークノードは、
時間期間（Ｔ０）の間に前記第２のセルのＳＩを獲得するように前記無線デバイスを設定し、
前記第１のセル内の前記無線デバイスとの無線通信に用いられるＴＴＩ長を決定し、
時間Ｔ０の間に前記無線デバイスへのダウンリンクデータの連続的割振りを送信し、
前記決定されたＴＴＩ長が第１のＴＴＩ値（ＴＴＩ１）に等しいとき、Ｔ０の間に前記無線デバイスから第１の最小数（Ｎ１）のアップリンクフィードバック信号を受信し、
前記決定されたＴＴＩ長が第２のＴＴＩ値（ＴＴＩ２）に等しいとき、Ｔ０の間に前記無線デバイスから第２の最小数（Ｎ２）のアップリンクフィードバック信号を受信するように動作可能である処理回路（１２２０）を備えるネットワークノード。
【請求項２８】
前記処理回路は、前記第１のセルにおいて用いられるアップリンクＴＴＩ長と前記第１のセルにおいて用いられるダウンリンクＴＴＩ長との一方を決定することによって、前記ＴＴＩ長を決定するように動作可能である、請求項２７に記載のネットワークノード。
【請求項２９】
前記処理回路はさらに、前記ネットワークノードがＴ０の間にＮ１またはＮ２のアップリンクフィードバック信号を受信しない場合、Ｔ０を増加させるように動作可能である、請求項２７または２８に記載のネットワークノード。
【請求項３０】
ＴＴＩ１はＴＴＩ２よりも短い持続期間を含み、Ｎ１はＮ２よりも大きい、請求項２７から２９のいずれか一項に記載のネットワークノード。
【請求項３１】
ＴＴＩ１は１ｍｓよりも短く、Ｎ１は６０よりも大きい、請求項３０に記載のネットワークノード。
【請求項３２】
Ｎ１およびＮ２は、前記第１のセルの時分割複信（ＴＤＤ）のアップリンク／ダウンリンクサブフレーム設定に依存する、請求項２９から３１のいずれか一項に記載のネットワークノード。
【請求項３３】
前記第１のセルは周波数分割複信（ＦＤＤ）動作用に設定され、
Ｔ０は１５０ｍｓに等しく、かつ
ＴＴＩ１が２−ｏｓに等しいとき、Ｎ１は４６５に等しく、
ＴＴＩ１が４−ｏｓに等しいとき、Ｎ１は２７９に等しく、
ＴＴＩ１が７−ｏｓに等しいとき、Ｎ１は１６４に等しく、
ＴＴＩ１が１４−ｏｓに等しいとき、Ｎ１は６０に等しい、請求項２９から３１のいずれか一項に記載のネットワークノード。
【請求項３４】
前記アップリンクフィードバック信号はハイブリッド自動再送要求（ＨＡＲＱ）の肯定応答（ＡＣＫ）信号と否定応答（ＮＡＣＫ）信号を含む、請求項２９から３３のいずれか一項に記載のネットワークノード。
【請求項３５】
第２のセル（１１５）のシステム情報（ＳＩ）を獲得するために第１のセル（１１５）と通信する無線デバイス（１１０）であって、前記第１のセルは２つ以上の送信時間間隔（ＴＴＩ）を用いるように動作可能であり、前記無線デバイスは、取得モジュール（１１５０）と、決定モジュール（１１５２）と、送信モジュール（１１５６）とを備え、
前記取得モジュールは、
前記第２のセルのＳＩを獲得するための要求を取得し、
時間期間（Ｔ０）の間に前記第２のセルの前記ＳＩを取得するように動作可能であり、
前記決定モジュールは、前記第１のセル内の前記無線デバイスとの無線通信に用いられるＴＴＩ長を決定するように動作可能であり、
時間Ｔ０の間に前記第１のセルからダウンリンクデータを受信することに応答して、
前記決定されたＴＴＩ長が第１のＴＴＩ値（ＴＴＩ１）に等しいとき、前記送信モジュールは、Ｔ０の間に前記第１のセルのアップリンクにおいて第１の最小数（Ｎ１）のアップリンクフィードバック信号を送信するように動作可能であり、
前記決定されたＴＴＩ長が第２のＴＴＩ値（ＴＴＩ２）に等しいとき、前記送信モジュールは、Ｔ０の間に前記第１のセルの前記アップリンクにおいて第２の最小数（Ｎ２）のアップリンクフィードバック信号を送信するように動作可能である無線デバイス。
【請求項３６】
第２のセル（１１５）のシステム情報（ＳＩ）を獲得するように無線デバイス（１１０）を設定することが可能な第１のセル（１１５）のネットワークノード（１２０）であって、前記第１のセルは２つ以上の送信時間間隔（ＴＴＩ）を用いるように動作可能であり、前記ネットワークノードは、設定モジュール（１２５０）と、決定モジュール（１２５２）と、受信モジュール（１２５４）と、送信モジュール（１２５６）と、を備え、
前記設定モジュールは、時間期間（Ｔ０）の間に前記第２のセルのＳＩを獲得するように前記無線デバイスを設定するように動作可能であり、
前記決定モジュールは、前記第１のセル内の前記無線デバイスとの無線通信に用いられるＴＴＩ長を決定するように動作可能であり、
前記送信モジュールは、時間Ｔ０の間に前記無線デバイスへのダウンリンクデータの連続的割振りを送信するように動作可能であり、
前記決定されたＴＴＩ長が第１のＴＴＩ値（ＴＴＩ１）に等しいとき、前記受信モジュールは、Ｔ０の間に前記無線デバイスから第１の最小数（Ｎ１）のアップリンクフィードバック信号を受信するように動作可能であり、
前記決定されたＴＴＩ長が第２のＴＴＩ値（ＴＴＩ２）に等しいとき、前記受信モジュールは、Ｔ０の間に前記無線デバイスから第２の最小数（Ｎ２）のアップリンクフィードバック信号を受信するように動作可能であるネットワークノード。
【発明の詳細な説明】
【技術分野】
【０００１】
本開示の特定の実施形態は、広義には無線通信に関するものであり、より詳細には、短縮送信時間間隔（ＴＴＩ）を用いたシステム情報（ＳＩ）取得のためのサービングセル性能に関するものである。
【背景技術】
【０００２】
序論
第３世代パートナーシッププロジェクト（３ＧＰＰ）ロングタームエボリューション（ＬＴＥ）では、ダウンリンクにおいては、各ダウンリンクシンボルが直交周波数分割多重（ＯＦＤＭ）シンボルと呼ばれ得るＯＦＤＭが用いられ、アップリンクにおいては、各アップリンクシンボルがシングルキャリア周波数分割多重（ＳＣ−ＦＤＭＡ）シンボルと呼ばれ得る離散フーリエ変換（ＤＦＴ）拡散ＯＦＤＭが用いられている。基本的なＬＴＥダウンリンク物理リソースは、図１に示すような時間−周波数グリッドを備えている。
【０００３】
図１は、例示的なダウンリンク無線サブフレームを示している。水平軸は時間を表し、他の軸は周波数を表している。各リソースエレメントは、１つのＯＦＤＭシンボル間隔中の１つのＯＦＤＭサブキャリアに対応している。時間領域では、ＬＴＥダウンリンク送信は無線フレームに編成され得る。
【０００４】
図２は、例示的な無線フレームを示している。各無線フレームは１０ｍｓであり、長さＴｓｕｂｆｒａｍｅ＝１ｍｓの等サイズの１０個のサブフレームからなる。通常のサイクリックプレフィックスの場合、１つのサブフレームは１４個のＯＦＤＭシンボルからなる。各シンボルの存続時間は約７１．４μｓである。
【０００５】
ユーザは、所定の時間量にわたって、一定数のサブキャリアを割り振られる。これらは物理リソースブロック（ＰＲＢ）と呼ばれる。ＰＲＢはしたがって、時間の次元と周波数の次元の両方を有する。リソースブロックは、時間領域における１スロット（０．５ｍｓ）に対応し、また周波数領域における１２個の連続サブキャリアに対応する。時間方向における１対の２つの隣接するリソースブロック（１．０ｍｓ）はリソースブロックペアとして知られている。時間間隔は、送信時間間隔（ＴＴＩ）と呼ばれることもある。
【０００６】
ダウンリンク送信は動的にスケジュールされる（すなわち、各サブフレームにおいて、基地局は、現在のダウンリンクサブフレームに対し、どの端末にデータが送信されるか、またどのリソースブロックに基づいてデータが送信されるかに関する制御情報を送信する）。制御シグナリングは通常、各サブフレームにおける第１の１、２、３または４つのＯＦＤＭシンボルにおいて送信され、数ｎ＝１、２、３または４は、制御領域の第１のシンボルにおいて送信された物理ＣＦＩチャネル（ＰＣＦＩＣＨ）によって指示される制御フォーマットインジケータ（ＣＦＩ）として知られている。制御領域はまた、物理ダウンリンク制御チャネル（ＰＤＣＣＨ）を含み、またおそらくは、アップリンク送信のためにＡＣＫ／ＮＡＣＫを搬送する物理ＨＡＲＱ指示チャネル（ＰＨＩＣＨ）をも含む。
【０００７】
ダウンリンクサブフレームはまた、共通参照信号（ＣＲＳ）を含んでおり、この共通参照信号は、受信機には既知のものであり、例えば制御情報のコヒーレント復調に用いられるものである。制御としてＣＦＩ＝３  ＯＦＤＭシンボルを用いるダウンリンクシステムが図１に示されている。Ｒｅｌ−８  ＴＴＩにおいて、ダウンリンク送信のそのような１つの部分は１つのＴＴＩと呼ばれる。
【０００８】
パケットデータレイテンシは、ベンダ、オペレータ、そしてまたエンドユーザが（スピードテストアプリケーションを介して）定期的に測定するパフォーマンスメトリクスのうちの１つである。レイテンシ測定は、新しいソフトウェアリリースまたはシステムコンポーネントを検証するとき、システムを配備するとき、およびシステムが商業的に稼働されているときなど、無線アクセスネットワークシステム寿命のすべての段階において行われる。
【０００９】
前世代の３ＧＰＰ無線アクセステクノロジ（ＲＡＴ）よりも短いレイテンシは、ＬＴＥの設計を導いた１つのパフォーマンスメトリックである。ＬＴＥは、前世代のモバイル無線テクノロジと比べて、インターネットへのより高速なアクセス、およびより低いデータレイテンシを提供することがエンドユーザによって認識されている。
【００１０】
パケットデータレイテンシは、システムの知覚応答性にとって重要であるだけでなく、システムのスループットに間接的に影響を及ぼすパラメータでもある。ＨＴＴＰ／ＴＣＰは、今日のインターネットにおいて用いられている主要なアプリケーションおよびトランスポート層プロトコルスイートである。ＨＴＴＰ  Ａｒｃｈｉｖｅ（トレンド下のｈｔｔｐａｒｃｈｉｖｅ．ｏｒｇを参照）によれば、インターネットを介したＨＴＴＰベースのトランザクションの典型的なサイズは、数１０キロバイトから最大１メガバイトの範囲にある。このサイズ範囲において、ＴＣＰのスロースタート期間は、パケットストリームの総トランスポート期間のうちの重要な一部である。ＴＣＰのスロースタートの間、パフォーマンスはレイテンシを制限されたものとなる。したがって、改善されたレイテンシは、このタイプのＴＣＰベースのデータトランザクションに対する平均スループットを改善し得る。
【００１１】
レイテンシ低減は無線リソース効率を改善し得る。より低いパケットデータレイテンシは、一定の遅延限界内で可能な送信数を増加させることができ、したがって、無線リソースを解放し、場合によってはシステムのキャパシティを改善するデータ送信のために、より高度なブロック誤り率（ＢＬＥＲ）の目標値が用いられ得る。
【００１２】
パケットレイテンシの低減に関して対処すべき１つの領域は、ＴＴＩ長を変更することによってデータおよび制御シグナリングのトランスポート時間を低減することである。ＬＴＥリリース８では、ＴＴＩは長さ１ミリ秒の１つのサブフレーム（ＳＦ）に対応する。１つのそのような１ｍｓのＴＴＩは、通常のサイクリックプレフィックスの場合には１４個のＯＦＤＭまたはＳＣ−ＦＤＭＡシンボルを使用し、拡張サイクリックプレフィックスの場合には１２個のＯＦＤＭまたはＳＣ−ＦＤＭＡシンボルを使用して構成される。ＬＴＥリリース１３は、ＬＴＥリリース８のＴＴＩよりもはるかに短いＴＴＩで送信を指定し得る。より短いＴＴＩは、時間において任意の持続期間を有し、１ｍｓのＳＦ内でいくつかのＯＦＤＭまたはＳＣ−ＦＤＭＡシンボル上にリソースを含み得る。一例として、短縮ＴＴＩの持続期間は０．５ｍｓ（すなわち、通常のサイクリックプレフィックスの場合には７個のＯＦＤＭまたはＳＣ−ＦＤＭＡシンボル）となり得る。もう一つの例として、短縮ＴＴＩの持続期間は２シンボルとなり得る。
【００１３】
図１から分かるように、ＴＴＩ長は１４個のＯＦＤＭシンボルからなる。短縮されたＴＴＩの場合、ＴＴＩ長は、２−ＯＦＤＭシンボル、４−ＯＦＤＭシンボルまたは７−ＯＦＤＭシンボルに低減され得る。これらはそれぞれ、２−ＯＳ  ｓＴＴＩ、４−ＯＳ  ｓＴＴＩ、７−ＯＳ  ｓＴＴＩと記される。本明細書におけるＯＦＤＭシンボルはまた、ＳＣ−ＦＤＭＡシンボルまたは任意のタイプのシンボルであり得る。
【００１４】
短縮ＴＴＩは、ダウンリンクおよびアップリンクなど、異なる方向において異なる値で用いられ得る。例えば、ダウンリンクは２−ＯＳ  ｓＴＴＩを用い得るが、アップリンクは同じセルにおいて４−ＯＳ  ｓＴＴＩを用い得る。
【００１５】
ＦＳ１、ＦＳ２およびＦＳ３など、異なるフレーム構造が異なる長さのｓＴＴＩを用い得る。図２における時間領域構造はＦＳ１に関するものである。２−ＯＳ、４−ＯＳおよび７−ＯＳ  ＴＴＩがＦＳ１に対して有用である。ＴＤＤに用いられるＦＳ２に対して、７−ＯＳ  ｓＴＴＩは短縮ＴＴＩモードのうちの１つである。いくつかの例示的なＴＴＩ持続期間が図３〜図６に示されている。
【００１６】
例えば、特定のネットワークがダウンリンクにおいて７シンボルのＴＴＩを用い得る。図３は、７シンボルＴＴＩの例を示している。７シンボルＴＴＩの場合、図３のｓＴＴＩ構造はアップリンクに対してサポートされている。
【００１７】
特定のネットワークがダウンリンクにおいて４シンボルＴＴＩを用い得る。図４は、４シンボルＴＴＩの例を示している。４シンボルアップリンクｓＴＴＩがサポートされる場合、図４のｓＴＴＩ構造が採用される。
【００１８】
図５はアップリンクのための短縮ＴＴＩの例を示している。図５の例は様々なＴＴＩ長を示している。２−ＯＳ  ｓＴＴＩは例示した２つのオプションのうちの１つを有し得る。
【００１９】
次の特徴はアップリンクｓＴＴＩに当てはまる。３つの異なるＴＴＩ長がアップリンクに用いられ得る。３つのうち、異なるパターンが２−ＯＳ  ＴＴＩに対して可能である。高速アップリンクグラントは、ＴＴＩ長の動的指示および／または復調用参照信号（ＤＭＲＳ）位置の動的指示を含み得る。いくつかのＴＴＩパターンに対し、共通のＤＭＲＳがＵＥ間で可能である。いくつかのＵＥに対し、このことはまた、ＵＥが隣接するＴＴＩにまたがってスケジュールされているとき、ＵＥが２つのＴＴＩのＤＭＲＳを送ることを意味する。
【００２０】
ＵＥなどの無線デバイスは、自律的ギャップを用いてシステム情報（ＳＩ）を獲得し得る。Ｅ−ＵＴＲＡＮでは、サービングセルは、セルのセルグローバル識別子（ＣＧＩ）を獲得するようにＵＥに要求することができ、このＣＧＩはセルを一意に識別するものである。セルのＣＧＩを獲得するために、ＵＥは、後述するように、セルのマスタ情報ブロック（ＭＩＢ）とそれに関連するシステム情報ブロック（ＳＩＢ）とを含んだシステム情報（ＳＩ）の少なくとも一部を読み取る。ＣＧＩを取得するためのＳＩの読取りは、ＵＥによって自律的に作成された測定ギャップの間に実行される（すなわち、ギャップはネットワークノードによって設定されるものではなく、ＵＥが作成するために残される）。ＣＧＩまたはＳＩまたはＥＣＧＩはまた、ＵＥが同様にネットワークノードにレポートし得るＵＥ測定値であるとみなされる。
【００２１】
ＬＴＥでは、ＵＥはターゲットセルＥ−ＵＴＲＡＮのＭＩＢおよびＳＩＢ１を読み取ってそのＣＧＩ（すなわち、ターゲットセルがＥ−ＵＴＲＡＮ内または間の周波数であるときのＥＣＧＩ）を獲得する。ＭＩＢは、限られた数の重要でかつ高頻度に送信されるパラメータを含んでおり、これらのパラメータは、セルから他の情報を獲得するために必要とされ、ＢＣＨ上で送信されるものである。特に、次の情報、すなわち、ダウンリンク帯域幅、ＰＨＩＣＨ設定、およびシステムフレーム番号（ＳＦＮ）は現在、ＭＩＢに含められている。
【００２２】
ＭＩＢは、４０ｍｓの周期性と４０ｍｓ以内になされる反復を伴って周期的に送信される。ＭＩＢの第１の送信は、ＳＦＮ  ｍｏｄ  ４＝０となる無線フレームのサブフレーム＃０内にスケジュールされ、反復は、すべての他の無線フレームのサブフレーム＃０内にスケジュールされる。
【００２３】
ＬＴＥでは、ＳＩＢ１は少なくとも次の情報、すなわち、ＰＬＭＮアイデンティティ、セルアイデンティティ、ＣＳＧアイデンティティおよび指示、周波数帯インジケータ、ＳＩウィンドウ長、他のＳＩＢのスケジューリング情報などを含んでいる。ＬＴＥ  ＳＩＢ１、ならびに他のＳＩＢメッセージは、ＰＤＳＣＨなどの物理チャネル上で送信される。ＵＥによって作製された自律的ギャップを用いたＭＩＢおよびＳＩＢ１取得の例が図６に示されている。
【００２４】
図６は、Ｅ−ＵＴＲＡ  ＦＤＤ  ＭＩＢおよびＳＩＢ１の取得を表している。ＳＩＢ１は、８０ｍｓの周期性と８０ｍｓ以内になされる反復を伴って送信される。ＳｙｓｔｅｍＩｎｆｏｒｍａｔｉｏｎＢｌｏｃｋＴｙｐｅ１の第１の送信は、ＳＦＮ  ｍｏｄ  ８＝０となる無線フレームのサブフレーム＃５内にスケジュールされ、反復は、ＳＦＮ  ｍｏｄ  ２＝０となるすべての他の無線フレームのサブフレーム＃５内にスケジュールされる。
【００２５】
現在の仕様に伴う問題は、ＵＥが１つのＴＴＩ（すなわち、１ｍｓ）しかサポートしていないことである。ターゲットセルのＳＩ取得に対するＵＥ要件は、１ｍｓのＴＴＩのみに基づいて定義されている。それらの要件は、ＳＩ取得遅延およびサービングセル内のＵＥによって送信されるＡＣＫ／ＮＡＣＫの数の観点から定義されている。これは、ＵＥがターゲットセルのＳＩを獲得するときに不要な自律的ギャップを作成しないようにするためのものである。より短いＴＴＩをＵＥがサポートすることは、同じ要件が適用された場合に、著しい性能劣化につながり得る。
【発明の概要】
【００２６】
本明細書に記載する実施形態は、ＵＥおよびネットワークノードにおけるいくつかの方法を含む。一般には、ＵＥにおける方法が次のステップを含み得る。
ステップ−１：第２のセル（セル２）のシステム情報（ＳＩ）を獲得するための要求を取得すること。
ステップ−２：時間期間（Ｔ０）の間に自律的ギャップにおいてセル２のＳＩを獲得すること。
ステップ−３：第１のＴＴＩ（ＴＴＩ１）がＴ０の間に第１のセル（セル１）内のＵＥによって用いられた場合に、セル１内でダウンリンクデータを受信したことに応答して、セル１において第１の最小数（Ｎ１）のアップリンクフィードバック信号を送信し、第２のＴＴＩ（ＴＴＩ２）がＴ０の間にセル１内のＵＥによって用いられた場合に、セル１内でダウンリンクデータを受信したことに応答して、セル１内で第２の最小数（Ｎ２）のアップリンクフィードバック信号を送信すること。
ステップ−４：１つ以上の動作タスク（例えば、セルグローバルアイデンティティ（ＣＧＩ）を決定すること、その結果を別のノードに送信すること、セル変更など）を実施するためにセル２の獲得したＳＩの結果を用いること。
【００２７】
一般には、ネットワークノードにおける方法が次のステップを含み得る。
ステップ−１：時間期間（Ｔ０）の間に自律的ギャップを用いて第２のセル（セル２）のシステム情報（ＳＩ）を獲得するようにＵＥを設定すること。
ステップ−２：第１のＴＴＩ（ＴＴＩ１）がＴ０の間に第１のセル（セル１）内のＵＥによって用いられた場合に、セル１内でダウンリンクデータを受信したことに応答して、ＵＥが第１のセルにおいて送信し得るアップリンクフィードバック信号の第１の最小数（Ｎ１）を決定するか、あるいは、第２のＴＴＩ（ＴＴＩ２）がＴ０の間にセル１内のＵＥによって用いられた場合に、セル１内でダウンリンクデータを受信したことに応答して、ＵＥが第１のセルにおいて送信し得るアップリンクフィードバック信号の第２の最小数（Ｎ２）を決定すること。
ステップ−３：Ｔ０の間にセル１においてＵＥにダウンリンクデータを送信すること。
ステップ−４：ＴＴＩ１がＴ０の間にセル１内のＵＥによって用いられた場合に、セル１内でダウンリンクデータを送信したことに応答して、セル１内のＵＥからＮ１のアップリンクフィードバック信号を受信するか、あるいは、ＴＴＩ２がＴ０の間にセル１内のＵＥによって用いられた場合に、セル１内でダウンリンクデータを送信したことに応答して、セル１内のＵＥからＮ２のアップリンクフィードバックを受信すること。
ステップ−５：１つ以上の動作タスクを実施するために、セル１内のＵＥから受信したアップリンクフィードバック信号の数の結果、および／またはセル１の獲得したＳＩの結果を用いること。
【００２８】
いくつかの実施形態によれば、第２のセルのシステム情報（ＳＩ）を獲得するために第１のセルと通信する無線デバイスにおいて用いるための方法であって、第１のセルは２つ以上の送信時間間隔（ＴＴＩ）を用いるように動作可能であり、該方法は、第２のセルのＳＩを獲得するための要求を取得することと、時間期間（Ｔ０）の間に第２のセルのＳＩを取得することと、第１のセル内の無線デバイスとの無線通信のために用いられるＴＴＩ長を決定することと、を含む。時間Ｔ０の間に第１のセルからダウンリンクデータを受信することに応答して、決定されたＴＴＩ長が第１のＴＴＩ値（ＴＴＩ１）に等しいとき、本方法は、Ｔ０の間に第１のセルのアップリンクにおいて第１の最小数（Ｎ１）のアップリンクフィードバック信号を送信することをさらに含み、決定されたＴＴＩ長が第２のＴＴＩ値（ＴＴＩ２）に等しいとき、本方法は、Ｔ０の間に第１のセルのアップリンクにおいて第２の最小数（Ｎ２）のアップリンクフィードバック信号を送信することをさらに含む。
【００２９】
特定の実施形態では、ＴＴＩ長を決定することは、第１のセルにおいて用いられるアップリンクＴＴＩ長と第１のセルにおいて用いられるダウンリンクＴＴＩ長との一方を決定することを含む。第２のセルのＳＩを取得することは、複数の測定ギャップにおいて信号を測定することを含み得る。本方法は、無線デバイスがＴ０の間にＮ１またはＮ２のアップリンクフィードバック信号を送信することができないとき、測定ギャップの数を低減するかまたはＴ０を増加させることをさらに含み得る。
【００３０】
特定の実施形態では、測定ギャップは、時間Ｔ０の間に少なくとも第１のセルにおいて無線デバイスによって作成された自律的ギャップを含む。特定の実施形態では、ＴＴＩ１はＴＴＩ２よりも短い持続期間であり、Ｎ１はＮ２よりも大きい。例えば、ＴＴＩ１は１ｍｓよりも短く、Ｎ１は６０よりも大きくてもよい。
【００３１】
特定の実施形態では、Ｎ１およびＮ２は、第１のセルの時分割複信（ＴＤＤ）のアップリンク／ダウンリンクサブフレーム設定に依存する。いくつかの実施形態では、第１のセルは周波数分割複信（ＦＤＤ）動作のために設定されてもよく、Ｔ０は１５０ｍｓであり、ＴＴＩ１が２−ｏｓに等しい場合は、Ｎ１は４６５に等しく、ＴＴＩ１が４−ｏｓに等しい場合は、Ｎ１は２７９に等しく、ＴＴＩ１が７−ｏｓに等しい場合は、Ｎ１は１６４に等しく、ＴＴＩ１が１４−ｏｓに等しい場合は、Ｎ１は６０に等しい。アップリンクフィードバック信号は、ハイブリッド自動再送要求（ＨＡＲＱ）の肯定応答（ＡＣＫ）信号と否定応答（ＮＡＣＫ）信号を含み得る。
【００３２】
いくつかの実施形態によれば、無線デバイスは、第２のセルのＳＩを獲得するために第１のセルと通信する。第１のセルは２つ以上のＴＴＩを用いるように動作可能である。無線デバイスは処理回路を備え、その処理回路は、第２のセルのＳＩを獲得するための要求を取得し、時間期間（Ｔ０）の間に第２のセルのＳＩを取得し、第１のセル内の無線デバイスと無線通信するために用いられるＴＴＩ長を決定するように動作する。時間Ｔ０の間に第１のセルからダウンリンクデータを受信することに応答して、決定されたＴＴＩ長が第１のＴＴＩ値（ＴＴＩ１）に等しいとき、処理回路は、Ｔ０の間に第１のセルのアップリンクにおいて第１の最小数（Ｎ１）のアップリンクフィードバック信号を送信するように動作可能であり、また、決定されたＴＴＩ長が第２のＴＴＩ値（ＴＴＩ２）に等しいとき、処理回路は、Ｔ０の間に第１のセルのアップリンクにおいて第２の最小数（Ｎ２）のアップリンクフィードバック信号を送信するように動作可能である。
【００３３】
特定の実施形態では、処理回路は、第１のセルにおいて用いられるアップリンクＴＴＩ長と第１のセルにおいて用いられるダウンリンクＴＴＩ長との一方を決定することによってＴＴＩ長を決定するように動作可能である。処理回路は、複数の測定ギャップにおいて信号を測定することによって第２のセルのＳＩを取得するように動作可能となり得る。処理回路はさらに、無線デバイスがＴ０の間にＮ１またはＮ２のアップリンクフィードバック信号を送信することができないとき、測定ギャップの数を低減するかまたはＴ０を増加させるように動作可能である。
【００３４】
特定の実施形態では、測定ギャップは、時間Ｔ０の間に少なくとも第１のセルにおいて無線デバイスによって作成された自律的ギャップを含む。いくつかの実施形態では、ＴＴＩ１はＴＴＩ２よりも短い持続期間であり、Ｎ１はＮ２よりも大きい。例えば、ＴＴＩ１は１ｍｓよりも短く、Ｎ１は６０よりも大きくてもよい。
【００３５】
特定の実施形態では、Ｎ１およびＮ２は、第１のセルのＴＤＤのアップリンク／ダウンリンクサブフレーム設定に依存する。いくつかの実施形態では、第１のセルはＦＤＤ動作のために設定されてもよく、Ｔ０は１５０ｍｓであり、ＴＴＩ１が２−ｏｓに等しい場合は、Ｎ１は４６５に等しく、ＴＴＩ１が４−ｏｓに等しい場合は、Ｎ１は２７９に等しく、ＴＴＩ１が７−ｏｓに等しい場合は、Ｎ１は１６４に等しく、ＴＴＩ１が１４−ｏｓに等しい場合は、Ｎ１は６０に等しい。アップリンクフィードバック信号はＨＡＲＱのＡＣＫ／ＮＡＣＫ信号を含み得る。
【００３６】
いくつかの実施形態によれば、第２のセルのＳＩを獲得するように無線デバイスを設定するための、第１のセルのネットワークノードにおいて用いるための方法であって、第１のセルは２つ以上のＴＴＩを用いるように動作可能であり、該方法は、時間期間（Ｔ０）の間に第２のセルのＳＩを獲得するように無線デバイスを設定することと、第１のセル内の無線デバイスとの無線通信のために用いられるＴＴＩ長を決定することと、時間Ｔ０の間に無線デバイスへのダウンリンクデータの連続的割振りを送信することと、を含む。決定されたＴＴＩ長が第１のＴＴＩ値（ＴＴＩ１）に等しいとき、本方法は、Ｔ０の間に無線デバイスから第１の最小数（Ｎ１）のアップリンクフィードバック信号を受信することをさらに含み、決定されたＴＴＩ長が第２のＴＴＩ値（ＴＴＩ２）に等しいとき、本方法は、Ｔ０の間に無線デバイスから第２の最小数（Ｎ２）のアップリンクフィードバック信号を受信することをさらに含む。
【００３７】
特定の実施形態では、ＴＴＩ長を決定することは、第１のセルにおいて用いられるアップリンクＴＴＩ長と第１のセルにおいて用いられるダウンリンクＴＴＩ長との一方を決定することを含む。いくつかの実施形態では、ネットワークノードがＴ０の間にＮ１またはＮ２のアップリンクフィードバック信号を受信しない場合、本方法はＴ０を増加させることを含む。
【００３８】
特定の実施形態では、ＴＴＩ１はＴＴＩ２よりも短い持続期間を含み、Ｎ１はＮ２よりも大きい。例えば、ＴＴＩ１は１ｍｓよりも短く、Ｎ１は６０よりも大きい。
【００３９】
特定の実施形態では、Ｎ１およびＮ２は、第１のセルのＴＤＤのアップリンク／ダウンリンクサブフレーム設定に依存する。いくつかの実施形態では、第１のセルはＦＤＤ動作のために設定されてもよく、Ｔ０は１５０ｍｓであり、ＴＴＩ１が２−ｏｓに等しい場合は、Ｎ１は４６５に等しく、ＴＴＩ１が４−ｏｓに等しい場合は、Ｎ１は２７９に等しく、ＴＴＩ１が７−ｏｓに等しい場合は、Ｎ１は１６４に等しく、ＴＴＩ１が１４−ｏｓに等しい場合は、Ｎ１は６０に等しい。アップリンクフィードバック信号はＨＡＲＱのＡＣＫ／ＮＡＣＫ信号を含み得る。
【００４０】
いくつかの実施形態によれば、第１のセルのネットワークノードは、無線デバイスを第２のセルのＳＩに対して設定することが可能である。第１のセルは２つ以上のＴＴＩを用いるように動作可能である。ネットワークノードは処理回路を備え、その処理回路は、時間期間（Ｔ０）の間に第２のセルのＳＩを獲得するように無線デバイスを設定し、第１のセル内の無線デバイスとの無線通信のために用いられるＴＴＩ長を決定し、時間Ｔ０の間に無線デバイスへのダウンリンクデータの連続的割振りを送信するように動作可能である。決定されたＴＴＩ長が第１のＴＴＩ値（ＴＴＩ１）に等しいとき、処理回路は、Ｔ０の間に無線デバイスから第１の最小数（Ｎ１）のアップリンクフィードバック信号を受信し、決定されたＴＴＩ長が第２のＴＴＩ値（ＴＴＩ２）に等しいとき、Ｔ０の間に無線デバイスから第２の最小数（Ｎ２）のアップリンクフィードバック信号を受信するように動作可能である。
【００４１】
特定の実施形態では、プロセッサは、第１のセルにおいて用いられるアップリンクＴＴＩ長と第１のセルにおいて用いられるダウンリンクＴＴＩ長との一方を決定することによってＴＴＩ長を決定するように動作可能である。プロセッサはさらに、ネットワークノードがＴ０の間にＮ１またはＮ２のアップリンクフィードバック信号を受信しない場合、Ｔ０を増加させるように動作可能であってもよい。
【００４２】
特定の実施形態では、ＴＴＩ１はＴＴＩ２よりも短い持続期間を含み、Ｎ１はＮ２よりも大きい。例えば、ＴＴＩ１は１ｍｓよりも短く、Ｎ１は６０よりも大きい。
【００４３】
特定の実施形態では、Ｎ１およびＮ２は、第１のセルのＴＤＤのアップリンク／ダウンリンクサブフレーム設定に依存する。いくつかの実施形態では、第１のセルはＦＤＤ動作のために設定されてもよく、Ｔ０は１５０ｍｓであり、ＴＴＩ１が２−ｏｓに等しい場合は、Ｎ１は４６５に等しく、ＴＴＩ１が４−ｏｓに等しい場合は、Ｎ１は２７９に等しく、ＴＴＩ１が７−ｏｓに等しい場合は、Ｎ１は１６４に等しく、ＴＴＩ１が１４−ｏｓに等しい場合は、Ｎ１は６０に等しい。アップリンクフィードバック信号はＨＡＲＱのＡＣＫ／ＮＡＣＫ信号を含み得る。
【００４４】
いくつかの実施形態によれば、無線デバイスは、第２のセルのＳＩを獲得するために第１のセルと通信する。第１のセルは２つ以上のＴＴＩを用いるように動作可能である。無線デバイスは、取得モジュールと、決定モジュールと、送信モジュールとを備える。取得モジュールは、第２のセルのＳＩを獲得するための要求を取得し、時間期間（Ｔ０）の間に第２のセルのＳＩを取得するように動作可能である。決定モジュールは、第１のセル内の無線デバイスとの無線通信に用いられるＴＴＩ長を決定するように動作可能である。時間Ｔ０の間に第１のセルからダウンリンクデータを受信することに応答して、決定されたＴＴＩ長が第１のＴＴＩ値（ＴＴＩ１）に等しいとき、送信モジュールは、Ｔ０の間に第１のセルのアップリンクにおいて第１の最小数（Ｎ１）のアップリンクフィードバック信号を送信するように動作可能であり、また、決定されたＴＴＩ長が第２のＴＴＩ値（ＴＴＩ２）に等しいとき、送信モジュールは、Ｔ０の間に第１のセルのアップリンクにおいて第２の最小数（Ｎ２）のアップリンクフィードバック信号を送信するように動作可能である。
【００４５】
いくつかの実施形態によれば、第１のセルのネットワークノードは、第２のセルのＳＩを獲得するように無線デバイスを設定することが可能である。第１のセルは２つ以上のＴＴＩを用いるように動作可能である。ネットワークノードは、設定モジュールと、決定モジュールと、受信モジュールと、送信モジュールとを備える。設定モジュールは、時間期間（Ｔ０）の間に第２のセルのＳＩを獲得するように無線デバイスを設定するように動作可能である。決定モジュールは、第１のセル内の無線デバイスとの無線通信に用いられるＴＴＩ長を決定するように動作可能である。送信モジュールは、時間Ｔ０の間に無線デバイスへのダウンリンクデータの連続的割振りを送信するように動作可能である。決定されたＴＴＩ長が第１のＴＴＩ値（ＴＴＩ１）に等しいとき、受信モジュールは、Ｔ０の間に無線デバイスから第１の最小数（Ｎ１）のアップリンクフィードバック信号を受信するように動作可能であり、また、決定されたＴＴＩ長が第２のＴＴＩ値（ＴＴＩ２）に等しいとき、受信モジュールは、Ｔ０の間に無線デバイスから第２の最小数（Ｎ２）のアップリンクフィードバック信号を受信するように動作可能である。
【００４６】
コンピュータプログラム製品もまた開示される。本コンピュータプログラム製品は、非一時的コンピュータ可読媒体上に記憶された命令を備え、その命令は、プロセッサによって実行されると、第２のセルのＳＩを獲得するための要求を取得するステップと、時間期間（Ｔ０）の間に第２のセルのＳＩを取得するステップと、第１のセル内の無線デバイスと無線通信するために用いられるＴＴＩ長を決定するステップとを実施する。時間Ｔ０の間に第１のセルからダウンリンクデータを受信することに応答して、決定されたＴＴＩ長が第１のＴＴＩ値（ＴＴＩ１）に等しいとき、命令はさらに、Ｔ０の間に第１のセルのアップリンクにおいて第１の最小数（Ｎ１）のアップリンクフィードバック信号を送信するように動作可能であり、また、決定されたＴＴＩ長が第２のＴＴＩ値（ＴＴＩ２）に等しいとき、命令はさらに、Ｔ０の間に第１のセルのアップリンクにおいて第２の最小数（Ｎ２）のアップリンクフィードバック信号を送信するように動作可能である。
【００４７】
別のコンピュータプログラム製品は、非一時的コンピュータ可読媒体上に記憶された命令を備え、その命令は、プロセッサによって実行されると、時間期間（Ｔ０）の間に第２のセルのＳＩを獲得するように無線デバイスを設定するステップと、第１のセル内の無線デバイスとの無線通信のために用いられるＴＴＩ長を決定するステップと、時間Ｔ０の間に無線デバイスへのダウンリンクデータの連続的割振りを送信するステップとを実施する。決定されたＴＴＩ長が第１のＴＴＩ値（ＴＴＩ１）に等しいとき、命令はさらに、Ｔ０の間に無線デバイスから第１の最小数（Ｎ１）のアップリンクフィードバック信号を受信するように動作可能であり、また、決定されたＴＴＩ長が第２のＴＴＩ値（ＴＴＩ２）に等しいとき、命令はさらに、Ｔ０の間に無線デバイスから第２の最小数（Ｎ２）のアップリンクフィードバック信号を受信するように動作可能である。
【００４８】
本開示の特定の実施形態は、１つ以上の技術的利点をもたらし得る。例えば、いくつかの実施形態の具体的な利点は、ターゲットセルのＳＩを獲得するときのサービングセル性能に対するＵＥの動作が十分に明確となることである。もう１つの利点は、サービングセル内のＵＥへのデータのスケジューリング性能が向上することである。これは、スケジューリンググラントがより効率的に利用され得るためである。また、ＵＥがサービングセルのアップリンクとダウンリンクにおいて異なるＴＴＩを用いる場合でも、ＳＩ獲得性能が少なくとも維持され得るか、あるいはさらには向上し得る。特定の実施形態は、列挙した利点のうちのいずれをも有さないか、それらの利点のうちの一部またはすべてを有し得る。
【００４９】
それらの実施形態ならびにそれらの特徴および利点がより完全に理解されるように、添付の図面と共になされる以下の説明をこれから参照する。
【図面の簡単な説明】
【００５０】
【図１】例示的なダウンリンク無線サブフレームを示している。
【図２】例示的な無線フレームを示している。
【図３】７シンボルＴＴＩの例を示している。
【図４】４シンボルＴＴＩの例を示している。
【図５】アップリンクのための短縮ＴＴＩの例を示している。
【図６】Ｅ−ＵＴＲＡ  ＦＤＤ  ＭＩＢおよびＳＩＢ１の取得を示している。
【図７】特定の実施形態による例示的な無線ネットワークを示す。
【図８】いくつかの実施形態による、無線デバイスにおける例示的な方法の流れ図である。
【図９】いくつかの実施形態による、４ｏｓ／４ｏｓおよび７ｏｓ／７ｏｓのダウンリンク／アップリンク設定のための例示的なＨＡＲＱフィードバックを示している。
【図１０】いくつかの実施形態による、２ｏｓ／２ｏｓおよび２ｏｓ／１ｍｓのダウンリンク／アップリンク設定のための例示的なＨＡＲＱフィードバックを示している。
【図１１】いくつかの実施形態による、ネットワークノードにおける例示的な方法の流れ図である。
【図１２】無線デバイスの例示的な実施形態を示すブロック図である。
【図１３】ネットワークノードの例示的な実施形態を示すブロック図である。
【発明を実施するための形態】
【００５１】
第３世代パートナーシッププロジェクト（３ＧＰＰ）ロングタームエボリューション（ＬＴＥ）にとって、パケットデータレイテンシは、システムの知覚応答性にとって重要であるだけでなく、システムのスループットに間接的に影響を及ぼすパラメータでもある。レイテンシ低減は無線リソース効率を改善し得る。パケットレイテンシ低減の一態様は、送信時間間隔（ＴＴＩ）長さを変更することによってデータおよび制御シグナリングのトランスポート時間を低減することである。古いＬＴＥリリースでは、ＴＴＩは長さ１ミリ秒の１つのサブフレーム（ＳＦ）に対応する。新しいＬＴＥリリースは、１ミリ秒よりも短いＴＴＩを用いた送信を指定し得る。例えば、短縮ＴＴＩの持続期間は０．５ｍｓ（すなわち、通常のサイクリックプレフィックスの場合には７個の直交周波数分割多重（ＯＦＤＭ）シンボルまたはシングルキャリア周波数分割多重（ＳＣ−ＦＤＭＡ）シンボル）となり得る。もう１つの例として、短縮ＴＴＩの持続期間は２シンボルまたは４シンボルとなり得る。
【００５２】
ユーザ機器（ＵＥ）などの無線デバイスは、自律的ギャップを用いてシステム情報（ＳＩ）を獲得し得る。Ｅ−ＵＴＲＡＮでは、サービングセルは、セルのセルグローバル識別子（ＣＧＩ）を獲得するようにＵＥに要求することができ、このＣＧＩはセルを一意に識別するものである。セルのＣＧＩを獲得するために、ＵＥは、セルのマスタ情報ブロック（ＭＩＢ）とそれに関連するシステム情報ブロック（ＳＩＢ）とを含んだシステム情報（ＳＩ）の少なくとも一部を読み取る。ＣＧＩを取得するためのＳＩの読取りは、ＵＥによって自律的に作成された測定ギャップの間に実行される（すなわち、ギャップはネットワークノードによって設定されるものではなく、ＵＥが作成するために残される）。
【００５３】
現在のＬＴＥ仕様に伴う問題は、ＵＥが１つのＴＴＩ（すなわち、１ｍｓ）しかサポートしていないことである。ターゲットセルのＳＩ取得に対するＵＥ要件は、１ｍｓのＴＴＩのみに基づいて定義されている。それらの要件は、ＳＩ取得遅延およびサービングセル内のＵＥによって送信されるＡＣＫ／ＮＡＣＫの数の観点から定義されている。これは、ＵＥがターゲットセルのＳＩを獲得するときに不要な自律的ギャップを作成しないようにするためのものである。より短いＴＴＩをＵＥがサポートすることは、同じ要件が適用された場合に、著しい性能劣化につながり得る。
【００５４】
特定の実施形態は、上述した問題を回避する。ＣＧＩを読み取るためのＡＣＫ要件は、アップリンクとダウンリンクの両方に対して１ｍｓのＴＴＩ持続期間を想定して導出されたものである。より短いＴＴＩが用いられるとき、より多数の送信ＡＣＫ／ＮＡＣＫが予想される。特定の実施形態は、ＴＴＩ持続期間に基づいた最小数のアップリンク肯定応答を含む。
【００５５】
いくつかの実施形態は「ノード」に関するものである。ノードの一例がネットワークノードとなり得るが、このネットワークノードは、より一般的な用語であってもよく、任意のタイプの無線ネットワークノードまたはＵＥおよび／もしくは別のネットワークノードと通信する任意のネットワークノードに対応し得る。ネットワークノードの例には、ＮｏｄｅＢ、基地局（ＢＳ）、ＭＳＲ  ＢＳなどのマルチスタンダード無線（ＭＳＲ）の無線ノード、ｅＮｏｄｅＢ、ｇＮｏｄｅＢ、ＭｅＮＢ、ＳｅＮＢ、ネットワークコントローラ、無線ネットワークコントローラ（ＲＮＣ）、基地局コントローラ（ＢＳＣ）、リレー、ドナーノード制御リレー、ベーストランシーバ局（ＢＴＳ）、アクセスポイント（ＡＰ）、送信ポイント、送信ノード、ＲＲＵ、ＲＲＨ、分散アンテナシステム（ＤＡＳ）内のノード、コアネットワークノード（例えば、ＭＳＣ、ＭＭＥなど）、Ｏ＆Ｍ、ＯＳＳ、ＳＯＮ、測位ノード（例えばＥ−ＳＭＬＣ）、ＭＤＴなどが挙げられる。
【００５６】
いくつかの実施形態は、「無線ネットワークノード」または単純に「ネットワークノード（ＮＷノード）」などの一般的な用語について言及しているが、これらは基地局、無線基地局、ベーストランシーバ局、基地局コントローラ、ネットワークコントローラ、発展型Ｎｏｄｅ  Ｂ（ｅＮＢ）、Ｎｏｄｅ  Ｂ、リレーノード、アクセスポイント、無線アクセスポイント、リモートラジオユニット（ＲＲＵ）、リモートラジオヘッド（ＲＲＨ）などの任意の種類のネットワークノードであり得る。
【００５７】
ノードのもう１つの例がユーザ機器であり得るが、これは非限定的な用語のユーザ機器（ＵＥ）であり、ネットワークノードおよび／またはセルラーもしくは移動体通信システム内の別のＵＥと通信する任意のタイプの無線デバイスを指す。ＵＥの例が、ターゲットデバイス、デバイスツーデバイス（Ｄ２Ｄ）ＵＥ、マシンタイプＵＥ、またはマシンツーマシン（Ｍ２Ｍ）通信が可能なＵＥ、ＰＤＡ、タブレット、移動体端末、スマートフォン、ラップトップ内蔵機器（ＬＥＥ）、ラップトップ搭載機器（ＬＭＥ）、ＵＳＢドングルなどである。
【００５８】
無線アクセス技術またはＲＡＴという用語は、ＵＴＲＡ、Ｅ−ＵＴＲＡ、ＮＢ−ＩｏＴ（Ｎａｒｒｏｗ  Ｂａｎｄ  Ｉｎｔｅｒｎｅｔ  ｏｆ  Ｔｈｉｎｇｓ）、ＷｉＦｉ、Ｂｌｕｅｔｏｏｔｈ、次世代ＲＡＴ（ＮＲ）、４Ｇ、５Ｇなどの任意のＲＡＴを指し得る。第１のノードおよび第２のノードのいずれかが、単一または複数のＲＡＴをサポートすることが可能となり得る。
【００５９】
本明細書で用いられる「信号」という用語は、任意の物理信号または物理チャネルであり得る。物理信号の例が、ＰＳＳ、ＳＳＳ、ＣＲＳ、ＰＲＳなどの参照信号である。本明細書で（例えば、チャネル受信の文脈において）用いられる「物理チャネル」という用語はまた、「チャネル」とも呼ばれる。物理チャネルの例には、ＭＩＢ、ＰＢＣＨ、ＮＰＢＣＨ、ＰＤＣＣＨ、ＰＤＳＣＨ、ｓＰＵＣＣＨ、ｓＰＤＳＣＨ、ｓＰＵＣＣＨ、ｓＰＵＳＣＨ、ＭＰＤＣＣＨ、ＮＰＤＣＣＨ、ＮＰＤＳＣＨ、Ｅ−ＰＤＣＣＨ、ＰＵＳＣＨ、ＰＵＣＣＨ、ＮＰＵＳＣＨなどが挙げられる。
【００６０】
本明細書で用いられる「時間リソース」という用語は、時間の長さとして表現される任意のタイプの物理リソースまたは無線リソースに対応し得る。時間リソースの例には、シンボル、タイムスロット、サブフレーム、無線フレーム、ＴＴＩ、インターリーブ時間などが挙げられる。
【００６１】
本明細書で用いられる「ＴＴＩ」という用語は、物理チャネルが符号化され、任意選択で送信用にインターリーブされ得る任意の時間期間（Ｔ０）に対応し得る。物理チャネルは、符号化された時間期間と同じ時間期間（Ｔ０）にわたって受信機によって復号される。ＴＴＩはまた、短縮ＴＴＩ（ｓＴＴＩ）、送信時間、スロット、サブスロット、ミニスロット、ショートサブフレーム（ＳＳＦ）、ミニサブフレームなどと交換可能に呼ばれ得る。
【００６２】
本明細書で用いられる「無線測定」という用語は、無線信号またはチャネルの受信に基づいた任意の測定、例えば、受信信号強度（例えば、ＲＳＲＰまたはＣＳＩ−ＲＳＲＰ）または品質測定（例えば、ＲＳＲＱ、ＲＳ−ＳＩＮＲ、ＳＩＮＲ、Ｅｓ／Ｉｏｔ、ＳＮＲ）、セル識別、同期信号測定、到来角（ＡＯＡ）などの角度測定、Ｒｘ−Ｔｘ、ＲＴＴ、ＲＳＴＤ、ＴＯＡ、ＴＤＯＡ、タイミングアドバンスなどのタイミング測定、スループット測定、ＣＳＩ、ＣＱＩ、ＰＭＩ、チャネル測定（例えば、ＭＩＢ、ＳＩＢ、ＳＩ、ＣＧＩ取得など）などのチャネル品質測定を指し得る。測定は、絶対的であっても、共通の基準に対するものであっても、あるいは別の測定、複合的な測定などに対するものであってもよい。測定は、１つのリンク上におけるものであっても、複数のリンク（例えば、ＲＳＴＤ、タイミングアドバンス、ＲＴＴ、相対ＲＳＲＰなど）上におけるものであってもよい。測定はまた、目的によって区別されてもよく、また１つ以上の目的で、例えば、ＲＲＭ、ＭＤＴ、ＳＯＮ、測位、タイミング制御またはタイミングアドバンス、同期化のうちの１つ以上のために実施されてもよい。非限定的な例では、特定の実施形態が上述したような任意の測定に適用され得る。本明細書において、「無線測定」という用語は、より広い意味で、例えば、チャネルを受信する（例えば、ブロードキャストまたはマルチキャストチャネルを介してシステム情報を受信する）意味で用いられ得る。
【００６３】
本明細書において用いられる「要件」という用語は、測定要件、ＲＲＭ要件、移動性要件、位置測定要件などのようなＵＥ測定に関連する任意のタイプのＵＥ要件を含み得る。ＵＥ測定に関連するＵＥ要件の例は、測定時間、測定報告時間または遅延、測定精度（例えば、ＲＳＲＰ／ＲＳＲＱ精度）、測定時間にわたって測定されるセルの数などである。測定時間の例には、Ｌ１測定期間、セル識別時間またはセルサーチ遅延、ＣＧ１取得遅延などが挙げられる。
【００６４】
本明細書において用いられる「中断」または「中断レベル」または「中断性能」という用語は、ＵＥとサービングセル（例えば、ＰＣｅｌｌ、ＳＣｅｌｌ、ＰＳＣｅｌｌ）との間における信号の任意のタイプの中断に対応し得る。中断は、サービングセル性能の損失または劣化につながり得る。
【００６５】
中断は、任意の１つ以上のサービングセル、例えば、ＰＣｅｌｌ、ＰＳＣｅｌｌ、ＳＣｅｌｌなどの性能に影響を及ぼし得る。サービングセルの性能の損失または中断は、１つまたは複数のメトリックとして表現され得るが、そのメトリックは、パケットの誤り率もしくはパケットの損失またはパケット損失率またはパケット損失の回数またはパケットドロップ率または検出確率の低下または誤検出確率の増加、さらにはパケットが欠落もしくはドロップもしくは損失する確率など、絶対的であっても相対的であってもよい。中断レベルは、中断される１つ以上の時間リソース（例えば、１サブフレーム、５サブフレーム、１  ＴＴＩ、２  ＴＴＩの中断時間など）として表現され得る。
【００６６】
本明細書におけるパケットは、アップリンクまたはダウンリンクにおいて無線インターフェースを介して送られる、トランスポートブロックなどの任意のデータのブロックを指す。パケット損失率または損失パケット数は通常、一定の時間期間（例えば、無線測定の測定時間、事前定義された時間など）にわたって推定される。一例では、損失パケット数は、一定の時間期間にわたるＵＥのサービングセルからＵＥへの連続的なデータ送信に応答した紛失ＡＣＫ／ＮＡＣＫの総数として表現される。
【００６７】
例えば、ＵＥが１００ｍｓの期間にわたる連続的なダウンリンク送信に応答して１０のＡＣＫ／ＮＡＣＫをアップリンクにおいて送信することができない場合、１ｍｓのＴＴＩを用いたＬＴＥにおけるパケット損失数は１０となる。この例では、対応するパケット損失率は１０％または０．１である。これはまた、ある期間にわたる連続的なダウンリンク送信に応答してアップリンクにおいて送信されたＡＣＫ／ＮＡＣＫの一部が紛失またはドロップまたは損失される確率として記述され得る。これはまた、（ａ）一定の時間期間（Ｔ０）にわたってＵＥのサービングセルからＵＥにダウンリンクデータが連続的に送信されたことに応答してＵＥによって送信された紛失ＡＣＫ／ＮＡＣＫの数、または（ｂ）すべてのデータブロックが受信された場合に、ＵＥのサービングセルからＵＥにダウンリンクデータが連続的に送信されたことに応答してＵＥによって送信されたＡＣＫ／ＮＡＣＫの総数の一方または両方の率として表現され得る。
【００６８】
したがって、サービングセル性能（例えば、ＰＣｅｌｌ、ＳＣｅｌｌ、またはＰＳＣｅｌｌ性能）は、ダウンリンクデータを受信したことに応答して、紛失ＡＣＫ／ＮＡＣＫの確率として、あるいは紛失ＡＣＫ／ＮＡＣＫの総数として表現され得る。ＰＣｅｌｌにおける中断は、「紛失ＡＣＫ／ＮＡＣＫの数としてのＰＣｅｌｌ中断」と呼ばれ得る。ＳＣｅｌｌにおける中断は、「紛失ＡＣＫ／ＮＡＣＫの数としてのＳＣｅｌｌ中断」と呼ばれ得る。
【００６９】
システム情報（ＳＩ）は、ＭＩＢ、ＳＩＢ１、ＳＩＢ２、ＳＩＢ３、ＳＩＢ−ＮＢ、ＳＩＢ−ＢＲのうちの任意の１つ以上などの情報を含み得る。
【００７０】
特定の実施形態では、無線ネットワークが異なるＴＴＩパターンを用いて設定され得る。例えば、ＵＥは、シングルキャリア動作とも呼ばれる１つのサービングセル（例えば、ＰＣｅｌｌ）を用いて設定され得る。本明細書におけるＵＥは、少なくとも２つの異なるＴＴＩ（例えば、１ｍｓのＴＴＩおよび２−ＯＳのＴＴＩなど）が可能である。ＵＥは、サービングセルにおける１つの時間リソースでＵＥによってサポートされる複数のＴＴＩのうちの任意の１つを用いて設定され得る。ＵＥは、ＴＴＩがサービングセルにおいて時間を経て変更される動作をサポートすることがさらに可能となり得る。ＵＥは、サービングセルのアップリンクおよびダウンリンクにおいて異なるＴＴＩを用いる動作をサポートすることがさらに可能となり得る。いくつかの基本的なシナリオの例が以下の表１に記載されている。
0006812547.tif 000002
【００７１】
特定の実施形態について、図面の図７〜図１３Ｂを参照して説明するが、同様の符号が、様々な図面の同様の部分および対応する部分に対して用いられている。ＬＴＥは、本開示の全体を通じて例示的なセルラーシステムとして用いられているが、本明細書で提示する構想は、他の無線通信システムにも同様に適用され得る。
【００７２】
図７は、特定の実施形態による例示的な無線ネットワークを示すブロック図である。無線ネットワーク１００は、１つ以上の無線デバイス１１０（モバイルフォン、スマートフォン、ラップトップコンピュータ、タブレットコンピュータ、ＭＴＣデバイス、または無線通信を提供し得る任意の他のデバイスなど）と、複数のネットワークノード１２０（基地局またはｅＮｏｄｅＢなど）とを含んでいる。ネットワークノード１２０は、カバレッジエリア１１５（セル１１５とも呼ばれる）をサーブする。
【００７３】
一般に、無線ネットワークノード１２０のカバレッジ内（例えば、ネットワークノード１２０によってサーブされるセル１１５内）にある無線デバイス１１０は、無線信号１３０を送信および受信することによって、無線ネットワークノード１２０と通信する。例えば、無線デバイス１１０および無線ネットワークノード１２０は、音声トラフィック、データトラフィック（例えば、ブロードキャストビデオ）、および／または制御信号を含んだ無線信号１３０を通信し得る。音声トラフィック、データトラフィック、および／または制御信号を無線デバイス１１０に通信するネットワークノード１２０は、無線デバイス１１０のサービングネットワークノード１２０と呼ばれ得る。無線信号１３０は、ダウンリンク送信（無線ネットワークノード１２０から無線デバイス１１０）と、アップリンク送信（無線デバイス１１０から無線ネットワークノード１２０）との両方を含み得る。
【００７４】
いくつかの実施形態では、無線デバイス１１０は、非限定的な用語「ＵＥ」で呼ばれ得る。ＵＥは、無線信号を介してネットワークノードまたは別のＵＥと通信することが可能な任意のタイプの無線デバイスを含み得る。ＵＥは、無線通信デバイス、ターゲットデバイス、デバイスツーデバイス（Ｄ２Ｄ）ＵＥ、マシンタイプＵＥ、またはマシンツーマシン（Ｍ２Ｍ）通信が可能なＵＥ、ＵＥを装備したセンサ、ｉＰＡＤ、タブレット、移動体端末、スマートフォン、ラップトップ内蔵機器（ＬＥＥ）、ラップトップ搭載機器（ＬＭＥ）、ＵＳＢドングル、カスタマ構内設備（ＣＰＥ）などを含み得る。
【００７５】
いくつかの実施形態では、ネットワークノード１２０は、基地局、無線基地局、ベーストランシーバ局、基地局コントローラ、ネットワークコントローラ、発展型Ｎｏｄｅ  Ｂ（ｅＮＢ）、ｇＮＢ、Ｎｏｄｅ  Ｂ、マルチＲＡＴ基地局、マルチセル／マルチキャスト協調エンティティ（ＭＣＥ）、リレーノード、アクセスポイント、無線アクセスポイント、リモート無線ユニット（ＲＲＵ）、リモート無線ヘッド（ＲＲＨ）、コアネットワークノード（例えば、ＭＭＥ、ＳＯＮノード、協調ノードなど）、さらには外部ノード（例えば、サードパーティノード、現在のネットワークに対して外部のノード）など、任意のタイプのネットワークノードを含み得る。
【００７６】
無線ネットワーク１００は、様々な長さのＴＴＩ（例えば、１ｍｓのＴＴＩ、もしくは２ｏｓ、４ｏｓ、７ｏｓなどの短縮ＴＴＩ、または任意の組合せ）を含み得る。特定の実施形態では、無線ネットワーク１００は、ダウンリンクとアップリンクにおいて異なるＴＴＩを含んでもよい。
【００７７】
無線デバイス１１０は別のセル１１５のシステム情報（ＳＩ）を獲得し得る。無線デバイス１１０は、自律的ギャップにおいてセル１１５のＳＩを獲得し得る。無線デバイス１１０は、第１のＴＴＩがセル１１５内のＵＥによって用いられた場合に、セル１１５内でダウンリンクデータを受信したことに応答して、セル１１５において第１の数のアップリンクフィードバック信号を送信し、第２のＴＴＩがセル１１５内のＵＥによって用いられた場合に、セル１１５内でダウンリンクデータを受信したことに応答して、セル１１５内で第２の数のアップリンクフィードバック信号を送信し得る。特定の実施形態では、無線デバイス１１０は、セルグローバルアイデンティティ（ＣＧＩ）を決定すること、その結果を別のノードに送信すること、セル変更など、１つ以上の動作タスクを実施するために、セル１１５の獲得したＳＩの結果を用い得る。第１のＴＴＩは、第２のＴＴＩとは異なる長さ（すなわち、シンボル数または時間の点で）を有する。
【００７８】
ネットワークノード１２０は、自律的ギャップを用いて別のセル１１５のシステム情報（ＳＩ）を獲得するように無線デバイス１１０を設定し得る。ネットワークノード１２０は、第１のＴＴＩがセル１１５内の無線デバイス１１０によって用いられる場合に、セル１１５においてダウンリンクデータを受信することに応答して、無線デバイス１１０がセル１１５において送信し得るアップリンクフィードバック信号の第１の数を決定し、あるいは、第２のＴＴＩがセル１１５内の無線デバイス１１５によって用いられる場合に、セル１１５においてダウンリンクデータを受信することに応答して、無線デバイス１１０がセル１１５において送信し得るアップリンクフィードバック信号の第２の数を決定し得る。ネットワークノード１２０は無線デバイス１１０にダウンリンクデータを送信し得る。特定の実施形態では、ネットワークノード１２０は、無線デバイス１１０からアップリンクフィードバック信号を受信し得る。
【００７９】
各ネットワークノード１２０は、無線デバイス１１０に無線信号１３０を送信するための単一の送信機または複数の送信機を有し得る。いくつかの実施形態では、ネットワークノード１２０は、多入力多出力（ＭＩＭＯ）システムを含み得る。同様に、各無線デバイス１１０は、ネットワークノード１２０から信号１３０を受信するための単一の受信機または複数の受信機を有し得る。
【００８０】
無線ネットワーク１００では、各無線ネットワークノード１２０は、ロングタームエボリューション（ＬＴＥ）、ＬＴＥ−アドバンスド、ＮＲ、ＵＭＴＳ、ＨＳＰＡ、ＧＳＭ、ｃｄｍａ２０００、ＷｉＭａｘ、ＷｉＦｉ、および／または他の好適な無線アクセス技術など、任意の好適な無線アクセス技術を用い得る。無線ネットワーク１００は、１つ以上の無線アクセス技術の任意の好適な組合せを含み得る。例として、様々な実施形態が、特定の無線アクセス技術の状況下で説明され得る。しかしながら、本開示の範囲はそれらの例に限定されず、他の実施形態が異なる無線アクセス技術を用いてもよい。
【００８１】
上記で説明したように、無線ネットワークの実施形態は、１つ以上の無線デバイスと、それらの無線デバイスと通信することが可能な１種類以上の異なるタイプの無線ネットワークノードとを含み得る。ネットワークはまた、無線デバイス間または無線デバイスと別の通信デバイス（固定電話など）との間の通信をサポートするのに好適な任意の付加的な要素を含み得る。無線デバイスは、ハードウェアおよび／またはソフトウェアの任意の好適な組合せを含み得る。例えば、特定の実施形態では、無線デバイス１１０などの無線デバイスが、図１２Ａに関して以下で説明する構成要素を含み得る。同様に、ネットワークノードは、ハードウェアおよび／またはソフトウェアの任意の好適な組合せを含み得る。例えば、特定の実施形態では、ネットワークノード１２０などのネットワークノードが、図１３Ａに関して以下で説明する構成要素を含み得る。
【００８２】
特定の実施形態は、無線デバイスおよびネットワークノードにおける方法を含む。例示的な方法が図８および図１１に示されている。
【００８３】
図８は、いくつかの実施形態による、無線デバイスにおける例示的な方法の流れ図である。特定の実施形態では、方法８００の１つ以上のステップが、図７に関連して説明した無線ネットワーク１００の無線デバイス１１０によって実施され得る。
【００８４】
方法８００がステップ８１２において開始され、無線デバイスが第２のセル（ｃｅｌｌ２）のＳＩを獲得するための要求を獲得する。例えば、無線デバイス１１０は、ネットワークノード１２０から第２のセル１１５のＳＩを獲得するための要求を獲得し得る。
【００８５】
特定の実施形態では、無線デバイスは、サービングセルと同じキャリア上であるいはサービングセルとは異なるキャリア上で動作し得るセル２のＳＩを獲得するように要求され得る。一例では、セル２は第１のキャリア（Ｆ１）上で動作し得る。一例では、セル２は第２のキャリア（Ｆ２）上で動作し得る。セル２は、周波数内セルまたは周波数間セルまたは別のＲＡＴのセルであり得る。
【００８６】
特定の実施形態では、無線デバイスは、次の機構のうちの任意の１つ以上に基づいて、ＳＩまたはセル２のＳＩに含められた情報のサブセットの要求を取得または獲得を開始し得るが、その機構は、（ａ）別のノード（例えば、ネットワークノードまたは別の無線デバイス）から受信された測定設定メッセージ、（ｂ）セル２のＳＩを獲得する必要性を指示する、無線デバイス内で上位層から受信されるメッセージもしくは指示、（ｃ）無線デバイスがセル２のＳＩを取得すべきかに基づいたイベント、条件、もしくはトリガ（例えば、無線デバイスは、現在のサービングセルの信号品質が閾値を下回る場合に、ＳＩを獲得し得、または別の例では、無線デバイスは、無線デバイスが、セル２を含んだ２つ以上のセルに対して、同じＰＣＩを獲得する場合、ＳＩを獲得し得る）、または（ｄ）、セル２のＳＩは無線デバイスによって獲得される必要があることを示す無線デバイスにおけるタイマーである。
【００８７】
受信される要求の１つの具体的な例には、「ｒｅｐｏｒｔＣＧＩ」、「ｒｅｐｏｒｔ  ＣＳＧ  ｉｎｄｉｃａｔｏｒ」または「ｒｅｐｏｒｔｉｎｇ  ＳＩ」のうちの１つ以上を含んだＲＲＣメッセージが挙げられる。「ＳＩの獲得」または「ＳＩ獲得」という用語はまた、「ＳＩ読取り」、「ＳＩの読取り」、「ＳＩ識別またはＳＩの識別」、「ＳＩ決定」などと呼ばれることもある。
【００８８】
ステップ８１４において、無線デバイスはある時間期間（Ｔ０）の間にセル２のＳＩを取得する。例えば、無線デバイス１１０は、特定の時間期間（例えば、１５０ｍｓ）の間に別のセル１１５のＳＩを取得し得る。
【００８９】
特定の実施形態では、無線デバイスによって獲得されるＳＩは、ＳＩ（例えば、ＭＩＢ、ＳＩＢ１、ＳＩＢ２など）を含んだ１つ以上のブロックを含み得る。例えば、無線デバイスは、セル２のＳＩにおいて送信するセル２のＣＧＩを獲得するように要求され得る。別の例では、ＳＩは、セル２によって送信されたクローズドサブスクライバグループ（ＣＳＧ）インジケータを含み得る。
【００９０】
無線デバイスは、ある時間期間（Ｔ０）の間にセル２のＳＩを獲得するために、１つ以上のサービングセルにおいて自律的ギャップを作成し得る。パラメータＴ０は、ネットワークノードによって、あるいは別のノードによって事前定義され、設定され得る。例えば、無線デバイスは、Ｔ０の間にセル２のＭＩＢおよびＳＩＢ１を獲得するために、それぞれ５ｍｓの少なくとも８つのギャップを作成し得る。無線デバイスは、セル２のＡＦＣ／ＡＧＣを獲得するために、それぞれ９ｍｓの１つ以上のギャップをさらに作成し得る。
【００９１】
無線デバイスは第１のセル（セル１）（例えば、ＰＣｅｌｌ）によってサーブされる。セル１はＦ１上であるいはＦ２上で動作し得る。自律的ギャップの間、無線デバイスは、第１のセル（セル１）のアップリンクにおいていかなる信号も送信し得ず、またセル１からのダウンリンクにおいていかなる信号も受信し得ない。
【００９２】
ステップ８１６において、無線デバイスは、第１のセル内の無線デバイスとの無線通信に用いられるＴＴＩ長を決定する。例えば、無線デバイス１１０は、そのサービングセルがアップリンクおよび／またはダウンリンクにおいて短縮ＴＴＩ（例えば、２−ｏｓ、４−ｏｓ、７−ｏｓなど）を用いると決定し得る。無線デバイス１１０はネットワークノードからＴＴＩ設定を受信し得るか、あるいは無線デバイス１１０は、１つ以上のＴＴＩ持続期間をサポートするように事前設定され得る。ＴＴＩを決定するさらなる例について以下で説明する。
【００９３】
ステップ８１８において、無線デバイスは、時間Ｔ０の間に第１のセルからダウンリンクデータを受信する。例えば、ネットワークノード１２０は無線デバイス１１０にデータを連続的に送信し得る。無線デバイス１１０はそのデータのすべてまたは一部を受信し得る。例えば、無線デバイス１１０は、別のセル上で測定を実施している間、データを受信し得ない。したがって、無線デバイス１１０は、ネットワークノード１２０によって送信されたデータのうちのあるパーセンテージを受信し得る。
【００９４】
ステップ８２０において、無線デバイスは、第１のＴＴＩ（ＴＴＩ１）がＴ０の間に第１のセル（セル１）内の無線デバイスによって用いられた場合に、セル１内でダウンリンクデータを受信したことに応答して、セル１において第１の最小数（Ｎ１）のアップリンクフィードバック信号を送信し、第２のＴＴＩ（ＴＴＩ２）がＴ０の間にセル１内の無線デバイスによって用いられた場合に、セル１内でダウンリンクデータを受信したことに応答して、セル１内で第２の最小数（Ｎ２）のアップリンクフィードバック信号を送信し得る。例えば、無線デバイス１１０は、Ｔ０の間に、第１のセル（セル１）からダウンリンクデータを受信し得、セル１のダウンリンクにおける受信データに応答して、ＵＥは、セル１のアップリンクにおいて、ある最小数のアップリンクフィードバック信号を送信し得る。
【００９５】
無線デバイス１１０は、Ｔ０の間にセル１からデータを受信したことに応答して、セル１内の無線デバイス１１０によって送信されるアップリンクフィードバック信号の最小数（Ｎ）を決定し得る。アップリンクフィードバック信号の一例がＡＣＫまたはＮＡＣＫ送信である。無線デバイス１１０によるＮの決定は、無線デバイス１１０がＮを決定するための計算を明示的に実施することではなく、無線デバイス１１０によって決定される自律的ギャップスケジューリングの結果であり得る。
【００９６】
例えば、無線デバイスは、Ｔ０の間にセル１上のネットワークノードによって無線デバイスにダウンリンクデータ（例えば、ＰＤＳＣＨ、ｓＰＤＳＣＨ、ＮＰＤＳＣＨなど）がダウンリンク時間リソースにおいて少なくとも連続的に送信されることに応答して無線デバイスが送信することを要求されるアップリンクフィードバック信号の最小数（Ｎ）を獲得し得る。最小数Ｎは、セル１において信号を操作するために無線デバイスによって用いられるＴＴＩと関連付けられる。
【００９７】
セル１におけるＴＴＩの長さは、ネットワークノードがＴ０の間にセル１のダウンリンクにおいて無線デバイスをスケジュールする（すなわち、セル１においてダウンリンクデータを送る）ことができるダウンリンク時間リソースの数に影響を及ぼす。セル１において用いられるＴＴＩはまた、セル１におけるネットワークノードへのダウンリンクデータに応答して無線デバイスがアップリンクフィードバック信号を送るアップリンク時間リソースの数に影響を及ぼす。したがって、Ｎの値は、より短いＴＴＩと共に増加する。Ｎの値がより大きいことは、無線デバイスがセル２のＳＩを取得するときにセル１の無線デバイスをスケジュールするための機会をネットワークがより多く有することを意味する。
【００９８】
無線デバイスは、少なくとも２つの異なるＴＴＩ（例えば、ＴＴＩ１＝１ｍｓおよびＴＴＩ＝２−ＯＳ）をサポートすることが可能となり得る。別の例では、無線デバイスは、３つ以上のＴＴＩ（例えば、ＴＴＩ１＝１ｍｓ、ＴＴＩ２＝２−ＯＳ、ＴＴＩ３＝７−ＯＳなど）をサポートすることが可能となり得る。
【００９９】
本明細書におけるダウンリンクデータの連続的な送信は、ネットワークノードがＳＩ取得時間の間に（すなわち、時間Ｔ０にわたって）セル１におけるすべてのダウンリンク時間リソース（例えば、ダウンリンクサブフレーム）においてデータを無線デバイスに送信することを意味する。最小数Ｎは、付加的な条件または制約の下で適用可能となるか、あるいはその条件または制約と関連付けられ得るが、その付加的な条件または制約は、（ａ）Ｔ０の少なくとも一部の間、無線デバイスは測定ギャップを用いて設定されないこと、（ｂ）無線デバイスはＤＲＸサイクルを用いて設定されないこと、（ｃ）無線デバイスはＤＲＸにおいて動作しないこと、（ｄ）無線デバイスは、１つのサブフレームにおいて事前に定義された数のコードワード（例えば、サブフレームごとに１コードワード）を用いてネットワークノードからダウンリンクデータを受信するように設定され、ＭＢＳＦＮサブフレームはサービングセル（またはＰＣｅｌｌ）において設定されないこと、のうちの１つ以上を含み得る。ＭＢＳＦＮサブフレームとして設定され得るサブフレームの例が、ＦＤＤ用のサブフレーム＃１、２、３、６、７および８、ならびにＴＤＤ用のサブフレーム＃３、４、７、８および９である。ＭＢＳＦＮサブフレームは、ＰＭＣＨのみを含み得るが、ＰＤＳＣＨ（またはｓＰＤＳＣＨ）は含み得ない。
【０１００】
パラメータＮは、パラメータＮ１またはＮ２をさらに含み得る。パラメータＮ（またはＮ１およびＮ２）は、セル１で用いられるＴＤＤ設定（すなわち、ＴＤＤアップリンク／ダウンリンクサブフレーム設定）にさらに依存し得る。例えば、ＴＤＤアップリンク／ダウンリンク設定＃０およびＴＤＤアップリンク／ダウンリンク設定＃１の場合、Ｎの値はそれぞれ１８および３５となり得る。パラメータＮ１およびＮ２の値は、ネットワークノードによって無線デバイスにおいて事前定義または設定され得る。
【０１０１】
パラメータＮ＝Ｎ１であり、ここでＮ１は、無線デバイスがセル１内の信号を操作するために第１のＴＴＩ（ＴＴＩ１）を用いるように設定されているとき、Ｔ０の間にセル１上でネットワークノードによって無線デバイスにダウンリンクデータ（例えば、ＰＤＳＣＨ）が少なくとも連続的に送信されたことに応答して、無線デバイスがセル１において送信するように要求されるアップリンクフィードバック信号の最小数である。
【０１０２】
パラメータＮ＝Ｎ２であり、ここでＮ２は、無線デバイスがセル１内の信号を操作するために第２のＴＴＩ（ＴＴＩ２）を用いるように設定されているとき、Ｔ０の間にセル１上でネットワークノードによって無線デバイスにダウンリンクデータ（例えば、ＰＤＳＣＨ）が少なくとも連続的に送信されたことに応答して、無線デバイスがセル１において送信するように要求されるアップリンクフィードバック信号の最小数である。
【０１０３】
Ｎ（Ｎ１またはＮ２）の値を決定するために、無線デバイスはまず、無線デバイスとセル１との間で信号を操作するために設定されたＴＴＩの値を決定し得る。例えば、無線デバイスは、セル１における操作のためにＴＴＩ１またはＴＴＩ２を用いて設定されているかを決定する。
【０１０４】
ある例では、セル１のダウンリンクおよびアップリンクはセル１のダウンリンクとアップリンクにおいて同じＴＴＩを使用し得るが、別の例では、異なるＴＴＩがセル１のダウンリンクとアップリンクにおいて使用される。したがって、無線デバイスは、ダウンリンクセル１のＴＴＩならびにアップリンクセル１のＴＴＩをさらに取得し得る。
【０１０５】
無線デバイスは、次の機構のうちの１つ以上に基づいて、セル１において信号を操作するために設定されたＴＴＩを決定し得るが、その機構は、（ａ）ＰＣｅｌｌなどのネットワークノードから受信された設定（例えば、無線デバイスは、ダウンリンクにおいて制御信号を受信することによって、あるいはＲＲＣメッセージを受信することによって、セル１において使用されるＴＴＩを決定し得る）、（ｂ）ＴＴＩおよびキャリア周波数に関連する事前に定義された情報（例えば、ＴＴＩとセル１において用いられるキャリア周波数（Ｆ１）の周波数帯域との関係）など、事前に定義されたルール、または参照セル（例えば、ＰＣｅｌｌ、ＰＳＣｅｌｌ）において用いられるＴＴＩと同じＴＴＩを適用すること、またはセル１の反対方向において使用されるＴＴＩに基づくこと（例えば、アップリンクとダウンリンクのセル１において同じＴＴＩを想定すること、またはダウンリンクのセル１のＴＴＩよりも短くないＴＴＩをアップリンクのセル１が使用すると想定すること、ならびに、（ｃ）自律的決定（例えば、異なる事前定義されたＴＴＩのダウンリンクチャネルの復号を試行することによる無線デバイスによるブラインド検出）である。
【０１０６】
無線デバイスは、セル１において用いられるＴＴＩを決定した後、Ｔ０、ＴＴＩとＮの値との関係を用いることによってＮ（Ｎ１またはＮ２）の値を決定する。さらに別の例では、無線デバイスは、Ｔ０と、ＴＴＩと、Ｎの値と、ＴＤＤ設定（すなわち、アップリンク／ダウンリンクサブフレーム設定）との関係を用いてＮ（Ｎ１またはＮ２）の値を決定する。パラメータＮ、ＴＴＩおよびＴ０の値およびそれらの関係性は、ネットワークノードによって無線デバイスにおいて事前定義または設定され得る。その関連性は、関数またはマッピングテーブルとして表現され得る。
【０１０７】
ＮとＴＴＩとＴ０とを関連付ける関数の一例が（１）によって表現される。
Ｎ＝ｆ（ＴＴＩ，Ｔ０）      （１）
【０１０８】
ＮとＴＴＩとＴ０とセル１において用いられるＴＤＤサブフレーム設定（Ｃｇ）とを関連付ける関数のもう１つの例が（２）によって表現される。
Ｎ＝ｆ（ＴＴＩ，Ｔ０，Ｃｇ）      （２）
【０１０９】
例示的な一実施形態では、同じＴＴＩがセル１のアップリンクとセル１のダウンリンクにおいて用いられる。いくつかの実施形態のさらなる態様では、異なるＴＴＩがセル１のアップリンクとセル１のダウンリンクにおいて用いられ得る。
【０１１０】
別の例では、Ｎの値は、セル１のダウンリンクにおいて用いられるＴＴＩ（ＴＴＩｄ）とセル１のアップリンクにおいて用いられるＴＴＩ（ＴＴＩｕ）にさらに依存し得る。ＮとＴＴＩｄとＴＴＩｕとＴ０とを関連付ける関数の一例が（３）によって表現される。
Ｎ＝ｆ（ＴＴＩｄ，ＴＴＩｕ，Ｔ０）      （３）
【０１１１】
ＮとＴＴＩｄとＴＴＩｕとＴ０とセル１において用いられるＴＤＤサブフレーム設定（Ｃｇ）とを関連付ける関数のもう１つの例が（４）によって表現される。
Ｎ＝ｆ（ＴＴＩｄ，ＴＴＩｕ，Ｔ０，Ｃｇ）      （４）
【０１１２】
ＴＴＩとＮとＴ０とを関連付けるマッピングテーブルの一例が表２に示されている。表２では、同じＴＴＩがセル１において用いられると想定されている。例えば、無線デバイスがＴＴＩ＝２−ＯＳとして設定されている場合、Ｎの値＝Ｘ２である。しかし、無線デバイスがＴＴＩ＝１ｍｓとして設定されている場合、Ｎ＝Ｘ１である。
0006812547.tif 000003
【０１１３】
表３の例は、同じＴＴＩがセル１のアップリンクとダウンリンクにおいて用いられているときに、Ｔ０の間にセル１内の無線デバイスによって送られたアップリンクフィードバック信号（例えば、ＡＣＫ／ＮＡＣＫ）の数を示している。表３の例はＦＤＤに関するものである。
0006812547.tif 000004
【０１１４】
したがって、第２のＴＴＩ値よりも短い第１のＴＴＩ値の場合、フィードバック信号の第１の最小数Ｎ１はフィードバック信号の第２の最小数Ｎ２よりも大きい。例えば、２−ＯＳの第１のＴＴＩの場合、フィードバック信号の第２の最小数Ｎ１は時間期間内で４６５となる。無線デバイスが、より長い第２のＴＴＩ、例えば、１ｍｓのＴＴＩ、すなわち１４シンボルに従って動作しているとき、フィードバック信号の第２の最小数Ｎ２は、同じ時間期間、例えば６０のフィードバック信号にわたって、第１のＴＴＩの場合よりも小さくなる。この関係は、ＴＴＩ長の任意の組合せに当てはまる。
【０１１５】
ＴＴＩとＮとＴ０とを関連付けるマッピングテーブルのもう１つの例が表４に示されている。表４において、いくつかの実施形態は、同じＴＴＩがセル１において用いられていると想定しているが、別の組の実施形態は、異なるＴＴＩがセル１のアップリンクとダウンリンクにおいて用いられていると想定している。例えば、無線デバイスが、ダウンリンクにおいてＴＴＩ＝２−ＯＳ、アップリンクにおいてＴＴＩ＝１ｍｓとして設定されている場合、Ｎの値＝Ｘ３１である。しかし、無線デバイスが、セル１のダウンリンクにおいてＴＴＩ＝１、アップリンクにおいてＴＴＩ＝２−ＯＳとして設定されている場合、Ｎの値＝Ｘ４１である。
0006812547.tif 000005
【０１１６】
表５の例は、異なるＴＴＩがセル１のアップリンクとダウンリンクにおいて用いられているときに、Ｔ０の間にセル１内の無線デバイスによって送られたアップリンクフィードバック信号（例えば、ＡＣＫ／ＮＡＣＫ）の例示的な数を示している。表５の例はＦＤＤに関するものである。
0006812547.tif 000006
【０１１７】
セル１において用いられているＴＴＩに少なくも基づいてＮの値を決定した後、無線デバイスは、Ｔ０の間にセル１からダウンリンクデータを受信したことに応答して、セル１のアップリンクにおけるアップリンクフィードバック信号の決定数を少なくとも送信し得る。無線デバイスは、Ｔ０の間にセル１のＳＩをさらに獲得する。
【０１１８】
無線デバイス１１０などの無線デバイスは、１つ以上の動作タスクを実施するために、セル２の獲得したＳＩまたはセル２のＳＩ内の情報のサブセットの結果を用い得る。動作タスクの例には、（ａ）ＳＩ測定の結果を別のノード（例えば、ネットワークノードまたは別の無線デバイス）にレポートすること、（ｂ）１つ以上の動作のために（例えば、測位、電力制御、リンク適応、ハンドオーバなどのセル変更のために）ＳＩ測定結果を用いること、（ｃ）事前定義された要件（例えば、測定時間（Ｔ１）、Ｔ１の間のアップリンクフィードバック信号の最小数、適正に受信されたメッセージの数など）を満たしている間に、ＳＩ測定を実施すること、（ｄ）その結果を記憶し、後にその結果を用いること、および／または（ｅ）セルの検証（例えば、セル１のＰＣＩとＣＧＩを比較すること）が含まれ得る。
【０１１９】
修正、追加、または省略が図８に示す方法８００に対してなされ得る。加えて、方法８００における１つ以上のステップが、並行してあるいは任意の好適な順序で実施され得る。
【０１２０】
図９は、いくつかの実施形態による、４ｏｓ／４ｏｓおよび７ｏｓ／７ｏｓのためのダウンリンク／アップリンク設定に対する例示的なＨＡＲＱフィードバックを示し、図１０は、いくつかの実施形態による、２ｏｓ／２ｏｓおよび２ｏｓ／１ｍｓのためのダウンリンク／アップリンク設定に対する例示的なＨＡＲＱフィードバックを示している。
【０１２１】
図１１は、いくつかの実施形態による、ネットワークノードにおける例示的な方法の流れ図である。特定の実施形態では、方法１１００の１つ以上のステップが、図７に関連して説明した無線ネットワーク１００の構成要素によって実施され得る。
【０１２２】
方法１１００はステップ１１６２において開始されるが、ここで、ネットワークノードが、時間期間（Ｔ０）の間に第２のセル（セル２）のシステム情報（ＳＩ）を獲得するように無線デバイスを設定する。例えば、ネットワークノード１２０は、第２のセル（セル２）のＳＩを獲得するために無線デバイス１１０に要求を送信し得る。
【０１２３】
特定の実施形態では、ネットワークノードはまず、無線デバイスがセル２のＳＩを獲得する必要性を決定し得る。これは、１つ以上のタスク（例えば、セル変更、ＳＯＮ、測位など）を実施する必要性に基づき得る。ネットワークノードは、図８に関連して説明した例のいずれかに基づいて、無線デバイスに要求を送り得る。
【０１２４】
ステップ１１６４において、ネットワークノードは、第１のセル内の無線デバイスとの無線通信に用いられるＴＴＩ長を決定する。例えば、ネットワークノード１２０は、無線デバイス１１０がアップリンクおよび／またはダウンリンクにおいて短縮ＴＴＩ（例えば、２−ｏｓ、４−ｏｓ、７−ｏｓなど）を用いると決定し得る。ＴＴＩを決定するさらなる例が、図８に関連して下記および上記で説明されている。
【０１２５】
ステップ１１６６において、ネットワークノードは、時間Ｔ０の間に無線デバイスへのダウンリンクデータの連続的送信を送信する。例えば、ネットワークノード１２０は、時間Ｔ０の間にセル１において無線デバイス１１０にダウンリンクデータを送信し得る。ネットワークノード１２０は、セル１の少なくともＴ０の間にすべてのダウンリンク時間リソースにおいて無線デバイス１１０にデータを送信し得る。無線デバイスがＴ０の間にセル２のＳＩを獲得できない場合、ネットワークノードは、Ｔ０よりも長い時間期間にわたって（例えば、Ｔ１＞Ｔ０であるＴ１にわたって）すべてのダウンリンク時間リソースにおいてダウンリンクデータをスケジュールし得る。
【０１２６】
ステップ１１６８において、ネットワークノードは、時間Ｔ０の間に最小数Ｎのアップリンクフィードバック信号を受信する。例えば、ネットワークノード１２０は、無線デバイス１１０からＮのフィードバック信号を受信し得る。
【０１２７】
いくつかの実施形態において、ネットワークノードは、第１のＴＴＩ（ＴＴＩ１）がＴ０の間に第１のセル（セル１）内の無線デバイスによって用いられた場合に、セル１内でダウンリンクデータを受信したことに応答して、無線デバイスがセル１において送信し得るアップリンクフィードバック信号の第１の最小数（Ｎ１）、または、第２のＴＴＩ（ＴＴＩ２）がＴ０の間にセル１内の無線デバイスによって用いられた場合に、セル１内でダウンリンクデータを受信したことに応答して、無線デバイスがセル１内で送信し得るアップリンクフィードバック信号の第２の最小数（Ｎ２）を決定する。
【０１２８】
例えば、ネットワークノード１２０は、無線デバイス１１０が第１のセル（セル１）においてダウンリンクデータを受信したことに応答してセル１において送信し得るアップリンクフィードバック信号の特定の最小数（Ｎ）を決定し得る。
【０１２９】
Ｎの値は、セル１内の無線デバイスによって用いられるＴＴＩの値に依存する。Ｎの値は、同じＴＴＩがセル１のアップリンクとダウンリンクにおいて用いられるか、あるいは異なるＴＴＩがセル１のアップリンクとダウンリンクにおいて用いられるかにさらに依存し得る。ネットワークノードは、図８に関連して説明したものと同じ原理、関数またはマッピングテーブルに基づいて、少なくともセル１において用いられるＴＴＩ（またはセル１のアップリンクおよびダウンリンクにおいて用いられるＴＴＩ）の関数としてＮの値を決定する。
【０１３０】
ネットワークノードは、ＴＴＩ１がＴ０の間にセル１内の無線デバイスによって用いられる場合に、セル１内でダウンリンクデータを送信することに応答して、無線デバイスからセル１においてＮ１のアップリンクフィードバック信号を受信し得るか、あるいは、ＴＴＩ２がＴ０の間にセル１内の無線デバイスによって用いられる場合に、セル１内でダウンリンクデータを送信することに応答して、無線デバイスからセル１においてＮ２のアップリンクフィードバック信号を受信し得る。例えば、ネットワークノード１２０は、少なくともＴ０の間にセル１内の無線デバイス１１０にダウンリンクデータを送信することに応答して、ある数のアップリンクフィードバック信号を受信し得る。
【０１３１】
セル１において信号を操作するためにＴＴＩ１が無線デバイスによって用いられる場合、ネットワークノードは、無線デバイスがＴ０においてＳＩを獲得し得る場合に、無線デバイスから少なくともＮ１のアップリンクフィードバック信号を受信することを予測する。セル１において信号を操作するためにＴＴＩ２が無線デバイスによって用いられる場合、ネットワークノードは、無線デバイスがＴ０においてＳＩを獲得し得る場合に、無線デバイスから少なくともＮ２のアップリンクフィードバック信号を受信することを予測する。少なくともＴ０の間にセル１内の無線デバイスにダウンリンクデータを送信したことに応答して、ネットワークノードによって無線デバイスから受信されるアップリンクフィードバック信号の数は、Ｔ０の間にセル１のアップリンクおよびダウンリンクにおいて同じＴＴＩが用いられるか、異なるＴＴＩが用いられるかにさらに依存し得る。
【０１３２】
ネットワークノード１２０などのネットワークノードは、１つ以上の動作タスクを実施するために、セル１内のワイヤレスデバイスから受信したアップリンクフィードバック信号の数の結果、および／またはセル１の獲得したＳＩの結果を用い得る。動作タスクの例には、（ａ）１つ以上の操作のために（例えば、測位、電力制御、リンク適応、ハンドオーバなどのセル変更などのために）ＳＩ測定結果を使用すること、（ｂ）それらの結果を記憶し、後に用いること、（ｃ）セルの検証（例えば、セル１のＰＣＩとＣＧＩとを比較すること）、（ｄ）無線デバイスのサービングセルのアップリンクおよび／もしくはダウンリンクにおける無線デバイスへのデータのスケジューリングの適応もしくは促進、（ｄ）測定設定を適応させ、適応させた測定設定を無線デバイスに送信すること、ならびに／または、（ｅ）セルパラメータの再設定（例えば、送信電力、アンテナ送信モードなど）が含まれ得る。
【０１３３】
修正、追加、または省略が図１１に示す方法１１００に対してなされ得る。加えて、方法１１００における１つ以上のステップが、並行してあるいは任意の好適な順序で実施され得る。
【０１３４】
図１２Ａは、無線デバイスの例示的な実施形態を示すブロック図である。この無線デバイスは、図７に示す無線デバイス１１０の一例である。具体的な例には、モバイルフォン、スマートフォン、ＰＤＡ（Ｐｅｒｓｏｎａｌ  Ｄｉｇｉｔａｌ  Ａｓｓｉｓｔａｎｔ）、ポータブルコンピュータ（例えば、ラップトップ、タブレット）、センサ、モデム、マシンタイプ（ＭＴＣ）デバイス／マシンツーマシン（Ｍ２Ｍ）デバイス、ラップトップ内蔵機器（ＬＥＥ）、ラップトップ搭載機器（ＬＭＥ）、ＵＳＢドングル、デバイスツーデバイス対応デバイス、ＮＢ−ＩｏＴデバイス、または無線通信を提供し得る任意の他のデバイスが挙げられる。無線デバイスは、トランシーバ１２１０と、処理回路１２２０と、メモリ１２３０と、電源１２４０とを含んでいる。いくつかの実施形態では、トランシーバ１２１０は、（例えば、アンテナを介して）無線信号を無線ネットワークノード１２０に送信することおよび無線ネットワークノード１２０から受信することを促進し、処理回路１２２０は、無線デバイスによって提供される本明細書に記載の機能の一部またはすべてを提供するための命令を実行し、メモリ１２３０は、処理回路１２２０によって実行される命令を記憶する。電源１２４０は、トランシーバ１２１０、処理回路１２２０、および／またはメモリ１２３０など、無線デバイス１１０の構成要素のうちの１つ以上に電力を供給する。
【０１３５】
いくつかの実施形態によれば、無線デバイス１１０は、セルのＳＩを獲得するための要求を取得すること、時間期間（Ｔ０）の間にセルのＳＩを取得すること、およびサービングセルにおける無線通信のために用いられるＴＴＩ長を決定することが可能である。決定されたＴＴＩ長が第１のＴＴＩ値（ＴＴＩ１）に等しいとき、無線デバイスは、Ｔ０の間にサービングセルのアップリンクにおいて第１の最小数（Ｎ１）のアップリンクフィードバック信号を送信する。決定されたＴＴＩ長が第２のＴＴＩ値（ＴＴＩ２）に等しいとき、無線デバイスは、Ｔ０の間にサービングセルのアップリンクにおいて第２の最小数（Ｎ２）のアップリンクフィードバック信号を送信する。
【０１３６】
処理回路１２２０は、命令を実行しデータを操作して無線デバイスの説明した機能のうちの一部またはすべてを実施するために、１つ以上の集積回路またはモジュールに実装されたハードウェアとソフトウェアの任意の好適な組合せを含む。いくつかの実施形態では、処理回路１２２０は、例えば、１つ以上のコンピュータ、１つ以上のプログラマブルロジックデバイス、１つ以上の中央処理装置（ＣＰＵ）、１つ以上のマイクロプロセッサ、１つ以上のアプリケーション、および／もしくは他のロジック、ならびに／または前述の任意の好適な組合せを含み得る。処理回路１２２０は、無線デバイス１１０の説明した機能のうちの一部またはすべてを実施するように設定されたアナログおよび／またはデジタル回路を含み得る。例えば、処理回路１２２０は、抵抗器、コンデンサ、インダクタ、トランジスタ、ダイオード、および／または任意の他の好適な回路構成要素を含み得る。
【０１３７】
メモリ１２３０は一般に、コンピュータ実行可能コードとデータを記憶するように動作可能である。メモリ１２３０の例には、コンピュータメモリ（例えば、ランダムアクセスメモリ（ＲＡＭ）もしくはリードオンリーメモリ（ＲＯＭ））、大容量記憶媒体（例えば、ハードディスク）、取外し可能記憶媒体（例えば、コンパクトディスク（ＣＤ）、またはデジタルビデオディスク（ＤＶＤ））、ならびに／または情報を記憶する任意の他の揮発性もしくは不揮発性の、非一時的コンピュータ可読および／もしくはコンピュータ実行可能メモリデバイスが挙げられる。
【０１３８】
電源１２４０は一般に、無線デバイス１１０の構成要素に電力を供給するように動作可能である。電源１２４０は、リチウムイオン、リチウム−空気、リチウムポリマー、ニッケルカドミウム、ニッケル水素などの任意の適切なタイプの電池、または無線デバイスに電力を供給するための任意の他の適切なタイプの電池を含み得る。
【０１３９】
特定の実施形態では、トランシーバ１２１０と通信する処理回路１２２０は、本明細書で説明した実施形態のいずれかに従って、自律的ギャップにおいてシステム情報を獲得し、測定結果をネットワークノード１２０に送信する。無線デバイスの他の実施形態は、上記で説明した機能および／または（上記で説明した解決策をサポートするのに必要な任意の機能を含む）任意の付加的な機能を含めて、無線デバイスの機能の特定の態様を提供する役割を果たす（図１２Ａに示すもの以外の）付加的な構成要素を含み得る。
【０１４０】
図１２Ｂは、無線デバイス１１０の例示的な構成要素を示すブロック図である。これらの構成要素は、取得モジュール１２５０と、決定モジュール１２５２と、受信モジュール１２５４と、送信モジュール１２５６とを含み得る。
【０１４１】
取得モジュール１２５０は、無線デバイス１１０の取得機能を実施し得る。例えば、取得モジュール１２５０は、図８のステップ８１２および８１４の取得機能を実施し得る。特定の実施形態では、取得モジュール１２５０は、処理回路１２２０を含んでもよく、あるいは処理回路１２２０に含められてもよい。特定の実施形態では、取得モジュール１２５０は、決定モジュール１２５２、受信モジュール１２５４、および送信モジュール１２５６と通信し得る。
【０１４２】
決定モジュール１２５２は、無線デバイス１１０の決定機能を実施し得る。例えば、決定モジュール１２５２は、図８のステップ８１６の決定機能を実施し得る。特定の実施形態では、決定モジュール１２５２は、処理回路１２２０を含んでもよく、あるいは処理回路１２２０に含められてもよい。特定の実施形態では、決定モジュール１２５２は、取得モジュール１２５０、受信モジュール１２５４、および送信モジュール１２５６と通信し得る。
【０１４３】
受信モジュール１２５４は、無線デバイス１１０の受信機能を実施し得る。例えば、受信モジュール１２５４は、図８のステップ８１８の受信機能を実施し得る。特定の実施形態では、送信モジュール１２５６は、処理回路１２２０を含んでもよく、あるいは処理回路１２２０に含められてもよい。特定の実施形態では、送信モジュール１２５６は、取得モジュール１２５０および決定モジュール１２５２と通信し得る。
【０１４４】
送信モジュール１２５６は、無線デバイス１１０の送信機能を実施し得る。例えば、送信モジュール１２５６は、図８のステップ８２０の送信機能を実施し得る。特定の実施形態では、送信モジュール１２５６は、処理回路１２２０を含んでもよく、あるいは処理回路１２２０に含められてもよい。特定の実施形態では、送信モジュール１２５６は、取得モジュール１２５０、決定モジュール１２５２、および受信モジュール１２５４と通信し得る。
【０１４５】
図１３Ａは、ネットワークノードの例示的な実施形態を示すブロック図である。ネットワークノード１２０は、ｅＮｏｄｅＢ、ノードＢ、基地局、無線アクセスポイント（例えば、Ｗｉ−Ｆｉアクセスポイント）、低電力ノード、ベーストランシーバ局（ＢＴＳ）、送信ポイントもしくはノード、リモートＲＦユニット（ＲＲＵ）、リモート無線ヘッド（ＲＲＨ）、または他の無線アクセスノードであり得る。ネットワークノード１２０は、少なくとも１つのトランシーバ１３１０と、処理回路１３２０と、少なくとも１つのメモリ１３３０と、少なくとも１つのネットワークインターフェース１３４０とを含んでいる。トランシーバ１３１０は、（例えば、アンテナを介して）無線信号を無線デバイス１１０などの無線デバイスに送信することおよび無線デバイスから受信することを促進し、処理回路１３２０は、ネットワークノード１２０によって提供されている上述の機能の一部またはすべてを提供するために命令を実行し、メモリ１３３０は処理回路１３２０によって実行された命令を記憶し、ネットワークインターフェース１３４０は、ゲートウェイ、スイッチ、ルータ、インターネット、公衆交換電話網（ＰＳＴＮ）、コントローラ、および／または他のネットワークノード１２０などのバックエンドネットワーク構成要素に信号を通信する。処理回路１３２０およびメモリ１３３０は、上記の図１２Ａの処理回路１２２０およびメモリ１２３０に関連して上述したものと同じタイプであってもよい。
【０１４６】
ネットワークノードは、時間期間（Ｔ０）の間にセルのＳＩを獲得するように無線デバイスを設定すること、サービングセル内の無線デバイスとの無線通信に用いられるＴＴＩ長を決定すること、および時間Ｔ０の間に無線デバイスにダウンリンクデータの連続的な割振りを送信すること、が可能である。決定されたＴＴＩ長が第１のＴＴＩ値（ＴＴＩ１）に等しいとき、ネットワークノードは、Ｔ０の間に無線デバイスから第１の最小数（Ｎ１）のアップリンクフィードバック信号を受信することが可能である。決定されたＴＴＩ長が第２のＴＴＩ値（ＴＴＩ２）に等しいとき、ネットワークノードは、Ｔ０の間に無線デバイスから第２の最小数（Ｎ２）のアップリンクフィードバック信号を受信することが可能である。
【０１４７】
いくつかの実施形態では、ネットワークインターフェース１３４０は、処理回路１３２０に通信的に結合され、ネットワークノード１２０に対する入力を受信し、ネットワークノード１２０からの出力を送り、入力もしくは出力もしくはそれら両方の適切な処理を実施し、他のデバイスに通信するように、または前述の任意の組合せを行うように動作可能な任意の適切なデバイスを指す。ネットワークインターフェース１３４０は、ネットワークを通じて通信するためのプロトコル変換およびデータ処理機能を含んだ、適当なハードウェア（例えば、ポート、モデム、ネットワークインターフェースカードなど）とソフトウェアとを含む。特定の実施形態では、トランシーバ１３１０と通信する処理回路１３２０は、無線デバイス１１０にダウンリンクデータを送信し、無線デバイス１１０からアップリンクフィードバック信号を受信する。
【０１４８】
ネットワークノード１２０の他の実施形態は、上記で説明した機能および／または（上記で説明した解決策をサポートするのに必要な任意の機能を含む）任意の付加的な機能を含めて、ネットワークノードの機能の特定の態様を提供する役割を果たす（図１３Ａに示すもの以外の）付加的な構成要素を含む。様々な異なるタイプの無線ネットワークノードが、同じ物理的ハードウェアを有するが、異なる無線アクセス技術をサポートするように（例えば、プログラミングを介して）設定された構成要素を含んでもよく、あるいは、部分的にもしくは完全に異なる物理的構成要素を表してもよい。
【０１４９】
図１３Ｂは、ネットワークノード１２０の例示的な構成要素を示すブロック図である。これらの構成要素は、設定モジュール１３５０と、決定モジュール１３５２と、送信モジュール１３５４と、受信モジュール１３５６とを含み得る。
【０１５０】
設定モジュール１３５０は、ネットワークノード１２０の設定機能を実施し得る。例えば、設定モジュール１３５０は、図１１のステップ１１６２の設定機能を実施し得る。特定の実施形態では、設定モジュール１３５０は、処理回路１３２０を含んでもよく、あるいは処理回路１３２０に含められてもよい。特定の実施形態では、設定モジュール１３５０は、決定モジュール１３５２、送信モジュール１３５４、および受信モジュール１３５６と通信し得る。
【０１５１】
決定モジュール１３５２は、ネットワークノード１２０の決定機能を実施し得る。例えば、決定モジュール１３５２は、図１１のステップ１１６４の決定機能を実施し得る。特定の実施形態では、決定モジュール１３５２は、処理回路１３２０を含んでもよく、あるいは処理回路１３２０に含められてもよい。特定の実施形態では、決定モジュール１３５２は、設定モジュール１３５０、送信モジュール１３５４、および受信モジュール１３５６と通信し得る。
【０１５２】
送信モジュール１３５４は、ネットワークノード１２０の送信機能を実施し得る。例えば、送信モジュール１３５４は、図１１のステップ１１６６の送信機能を実施し得る。特定の実施形態では、送信モジュール１３５４は、処理回路１３２０を含んでもよく、あるいは処理回路１３２０に含められてもよい。特定の実施形態では、送信モジュール１３５４は、設定モジュール１３５０、決定モジュール１３５２、および受信モジュール１３５６と通信し得る。
【０１５３】
受信モジュール１３５６は、ネットワークノード１２０の受信機能を実施し得る。例えば、受信モジュール１３５６は、図１１のステップ１１６８の受信機能を実施し得る。特定の実施形態では、受信モジュール１３５６は、処理回路１３２０を含んでもよく、あるいは処理回路１３２０に含められてもよい。特定の実施形態では、受信モジュール１３５６は、設定モジュール１３５０、決定モジュール１３５２、および送信モジュール１３５４と通信し得る。
【０１５４】
本開示のいくつかの実施形態は、１つ以上の技術的利点をもたらし得る。例えば、いくつかの実施形態の具体的な利点は、ターゲットセルのＳＩを獲得するときのサービングセル性能に対するＵＥの動作が十分に明確となることである。もう１つの利点は、サービングセル内のＵＥへのデータのスケジューリング性能が向上することである。これは、スケジューリンググラントがより効率的に利用され得るためである。また、ＵＥがサービングセルのアップリンクとダウンリンクにおいて異なるＴＴＩを用いる場合でも、ＳＩ獲得性能が少なくとも維持され得るか、あるいはさらには向上し得る。いくつかの実施形態は、これらの利点のうちの一部から利益を得るか、いずれもから利益を得ないか、あるいはすべてから利益を得ることが可能である。他の技術的利点も当業者には容易に確認され得る。
【０１５５】
本開示は特定の実施形態の観点から述べられているが、これらの実施形態の変更形態および変形形態が当業者には明らかとなろう。いくつかの実施形態について特定の無線アクセス技術に関連させて説明してきたが、ロングタームエボリューション（ＬＴＥ）、ＬＴＥ−アドバンスト、ＮＲ、ＵＭＴＳ、ＨＳＰＡ、ＧＳＭ、ｃｄｍａ２０００、ＷｉＭａｘ、ＷｉＦｉなど、任意の適切な無線アクセス技術（ＲＡＴ）または無線アクセス技術の組合わせが用いられ得る。したがって、各実施形態の上記の説明は本開示を制限するものではない。他の変更、置換、および改変も、本開示の範囲から逸脱することなく可能である。
【０１５６】
いくつかの態様では、各例は、第２のセルのＳＩを獲得するための要求を取得すること、時間期間（Ｔ０）の間に第２のセルのＳＩを取得すること、および／または第１のセルにおいて用いられるＴＴＩ長を決定することのうちの１つ以上を伴わずに規定され得る。
【０１５７】
以下の例は、本明細書で説明した実施形態のある態様が特定の通信規格のフレームの中でいかにして実装され得るかという例である。具体的に言えば、次の例は、本明細書で説明した実施形態が３ＧＰＰ  ＲＡＮ規格のフレームワークの中でいかにして実装され得るかという非限定的な例を提示するものである。これらの例によって説明される変更は単に、いかにして実施形態の特定の態様が特定の規格において実装され得るかを説明することを意図したものである。しかしながら、これらの実施形態はまた、他の適切な様式で、３ＧＰＰ仕様においてまた他の仕様もしくは規格においても実装され得る。
【０１５８】
以下の節は、３ＧＰＰ  ＴＳ  ３６．１３３  ｖ１４．１．０において修正され得る。
自律的ギャップを用いたＥ−ＵＴＲＡＮ  ＦＤＤ周波数内測定
自律的ギャップを用いたＥ−ＵＴＲＡセルの新たなＣＧＩの識別
【０１５９】
Ｅ−ＵＴＲＡセルの新たなＣＧＩを識別するための明確なネイバーリストはＵＥに提供されない。ＵＥは、「ｒｅｐｏｒｔＣＧＩ」の目的でネットワークによって要求されたとき、ＣＧＩを識別およびレポートするものとする。ＵＥは、ＴＳ３６．３３１の項５．５．３．１に従ってＭＩＢおよびＳＩＢ１メッセージを受信するために、ダウンリンク受信およびアップリンク送信において自律的ギャップを作成し得る。ｓｉ−ＲｅｑｕｅｓｔＦｏｒＨＯが偽に設定されている場合、ＵＥは自律的ギャップを用いるように要求されないことに留意されたい。「ｒｅｐｏｒｔＣＧＩ」を目的とした測定のために自律的ギャップが用いられる場合、ＤＲＸもしくはｅＤＲＸ＿ＣＯＮＮが用いられるか否か、またはＳＣｅｌｌが設定されるか否かに関わらず、ＵＥは以下の時間内にＥ−ＵＴＲＡセルの新たなＣＧＩを識別することが可能であるものとする。
Ｔｉｄｅｎｔｉｆｙ＿ＣＧＩ，ｉｎｔｒａ＝Ｔｂａｓｉｃ＿ｉｄｅｎｔｉｆｙ＿ＣＧＩ，ｉｎｔｒａｍｓ
ここで、Ｔｂａｓｉｃ＿ｉｄｅｎｔｉｆｙ＿ＣＧＩ，ｉｎｔｒａ＝１５０ｍｓである。これは、上式において用いられる時間期間であり、ここでは、Ｅ−ＵＴＲＡセルがＵＥによって既に識別されていると仮定して、ＵＥがＥ−ＵＴＲＡセルの新たなＣＧＩを識別する最長許容時間が定義されている。
【０１６０】
次の条件が満たされると、セルは識別可能とみなされるものとし、その条件とは、（ａ）項９．１に示されたＲＳＲＰ関連の副次的条件が対応する帯域に対して満たされること、ならびに（ｂ）添付書類Ｂ．２．２によるＳＣＨ＿ＲＰおよびＳＣＨ  Ｅｓ／Ｉｏｔが対応する帯域に対して満たされることである。
【０１６１】
ＣＧＩを識別されるＥ−ＵＴＲＡセルのＭＩＢは、ＰＢＣＨ復調要件が満たされると仮定して、ＵＥによって復号可能とみなされるものとする。
【０１６２】
Ｔｂａｓｉｃ＿ｉｄｅｎｔｉｆｙ＿ＣＧＩ，．ｉｎｔｒａ以内にＥ−ＵＴＲＡセルの新たなＣＧＩを識別するための要件は、ＤＲＸが用いられないとき、ならびに、ＤＲＸまたはＴＳ３６．３３１において規定されたｅＤＲＸ＿ＣＯＮＮサイクルのいずれかが用いられるときに適用可能である。
【０１６３】
ＵＥがＥ−ＵＴＲＡセルの新しいＣＧＩを識別する時間Ｔｉｄｅｎｔｉｆｙ＿ＣＧＩ，ｉｎｔｒａｍｓ以内に、ＵＥは、（ａ）連続的なダウンリンクデータ割振りが存在すること、（ｂ）ＤＲＸおよびｅＤＲＸ＿ＣＯＮＮサイクルが用いられないこと、（ｃ）測定ギャップが設定されないこと、（ｄ）各サブフレームにおいて１つのコードワードのみが送信されること、ならびに（ｅ）ＰＣｅｌｌまたはアクティブ化されたＳＣｅｌｌの各々においてＭＢＳＦＮサブフレームが設定されないこと、のうちの１つ以上を仮定して、表６に示すように、ＰＣｅｌｌまたはアクティブ化されたＳＣｅｌｌの各々の上で少なくともＮｍｉｎのＡＣＫ／ＮＡＣＫを送信するものとする。
0006812547.tif 000007
自律的ギャップを用いたＥ−ＵＴＲＡＮ  ＦＤＤ−ＦＤＤ周波数間測定
自律的ギャップを用いたＥ−ＵＴＲＡ  ＦＤＤセルの新たなＣＧＩの識別
【０１６４】
Ｅ−ＵＴＲＡセルの新たなＣＧＩを識別するための明確なネイバーリストはＵＥに提供されない。ＵＥは、「ｒｅｐｏｒｔＣＧＩ」の目的でネットワークによって要求されたとき、ＣＧＩを識別およびレポートするものとする。ＵＥは、ＴＳ３６．３３１の項５．５．３．１に従ってＭＩＢおよびＳＩＢ１メッセージを受信するために、ダウンリンク受信とアップリンク送信の両方において自律的ギャップを作成し得る。ｓｉ−ＲｅｑｕｅｓｔＦｏｒＨＯが偽に設定されている場合、ＵＥは自律的ギャップを用いるように要求されないことに留意されたい。「ｒｅｐｏｒｔＣＧＩ」を目的とした測定のために自律的ギャップが用いられる場合、ＤＲＸもしくはｅＤＲＸ＿ＣＯＮＮが用いられるか否か、またはＳＣｅｌｌが設定されるか否かに関わらず、ＵＥは以下の時間内にＥ−ＵＴＲＡセルの新たなＣＧＩを識別することが可能であるものとする。
Ｔｉｎｄｅｎｔｉｆｙ＿ＣＧＩ，ｉｎｔｅｒ＝Ｔｂａｓｉｃ＿ｉｄｅｎｔｉｆｙ＿ＣＧＩ，ｉｎｔｅｒｍｓ
ここで、Ｔｂａｓｉｃ＿ｉｄｅｎｔｉｆｙ＿ＣＧＩ，ｉｎｔｅｒ＝１５０ｍｓである。これは、上式において用いられる時間期間であり、ここでは、Ｅ−ＵＴＲＡセルがＵＥによって既に識別されていると仮定して、ＵＥがＥ−ＵＴＲＡセルの新たなＣＧＩを識別する最長許容時間が定義されている。
【０１６５】
次の条件が満たされると、セルは識別可能とみなされるものとし、その条件とは、（ａ）項９．１に示されたＲＳＲＰ関連の副次的条件が対応する帯域に対して満たされること、ならびに（ｂ）添付書類Ｂ．２．３によるＳＣＨ＿ＲＰ｜ｄＢｍおよびＳＣＨ  Ｅｓ／Ｉｏｔが対応する帯域に対して満たされることである。
【０１６６】
ＣＧＩを識別されるＥ−ＵＴＲＡセルのＭＩＢは、ＰＢＣＨ復調要件が満たされると仮定して、ＵＥによって復号可能とみなされるものとする。
【０１６７】
Ｔｂａｓｉｃ＿ｉｄｅｎｔｉｆｙ＿ＣＧＩ，ｉｎｔｅｒ以内にＥ−ＵＴＲＡセルの新たなＣＧＩを識別するための要件は、ＤＲＸが用いられないとき、ならびに、ＤＲＸまたはＴＳ３６．３３１において規定されたｅＤＲＸ＿ＣＯＮＮサイクルのいずれかが用いられるときに適用可能である。
【０１６８】
ＵＥがＥ−ＵＴＲＡセルの新しいＣＧＩを識別する時間Ｔｉｄｅｎｔｉｆｙ＿ＣＧＩ，ｉｎｔｒａｍｓ以内に、ＵＥは、（ａ）連続的なＤＬデータ割振りが存在すること、（ｂ）ＤＲＸおよびｅＤＲＸ＿ＣＯＮＮサイクルが用いられないこと、（ｃ）測定ギャップが設定されないこと、（ｄ）各サブフレームにおいて１つのコードワードのみが送信されること、ならびに（ｅ）ＰＣｅｌｌまたはアクティブ化されたＳＣｅｌｌの各々においてＭＢＳＦＮサブフレームが設定されないこと、のうちの１つ以上を仮定して、表７に示すように、ＰＣｅｌｌまたはアクティブ化されたＳＣｅｌｌの各々の上で少なくともＮｍｉｎのＡＣＫ／ＮＡＣＫを送信するものとする。
0006812547.tif 000008
【０１６９】
略称
３ＧＰＰ        第３世代パートナーシッププロジェクト
ＢＬＥＲ        ブロック誤り率
ＣＧＩ          セルグローバル識別子
ＣＦＩ          制御フォーマットインジケータ
ＣＰ            サイクリックプレフィックス
ＣＲＳ          共通参照信号
ＤＦＴ          離散フーリエ変換
ＤＭＲＳ        復調用参照信号
ｅＭＴＣ        拡張ＭＴＣ
ｅＮＢ          発展型ＮｏｄｅＢ
ｅＮｏｄｅＢ    発展型ＮｏｄｅＢ
Ｅ−ＵＴＲＡ    拡張ＵＴＲＡ
ＦＤＤ          周波数分割複信
ＨＡＲＱ        ハイブリッド自動再送要求
ＬＴＥ          ロングタームエボリューション
ＭＩＢ          マスタ情報ブロック
ＭＴＣ          マシンタイプ通信
ＯＦＤＭ        直交周波数
ＰＣＦＩＣＨ    物理ＣＦＩチャネル
ＰＤＣＣＨ      物理ダウンリンク制御チャネル
ＰＤＳＣＨ      物理ダウンリンク共有チャネル
ＰＨＩＣＨ      物理ＨＡＲＱ指示チャネル
ＰＲＢ          物理リソースブロック
ＰＳＳ          １次同期ソース
ＲＡＴ          無線アクセス技術
ＲＦ            無線周波数
ＲＲＣ          無線リソース制御
ＳＣ−ＦＤＭＡ  シングルキャリア周波数分割多重
ＳＦＮ          単一周波数ネットワーク／システムフレーム番号
ＳＩ            システム情報
ＳＩＢ          システム情報ブロック
ＳＳＳ          ２次同期ソース
ＴＤＤ          時分割複信
ＴＴＩ          送信時間間隔
ＵＥ            ユーザ機器
ＵＭＴＳ        ユニバーサルモバイルテレコミュニケーションシステム
ＵＴＲＡ        ＵＭＴＳ地上無線アクセス
【図１】
0006812547.tif 000009
【図２】
0006812547.tif 000010
【図３】
0006812547.tif 000011
【図４】
0006812547.tif 000012
【図５】
0006812547.tif 000013
【図６】
0006812547.tif 000014
【図７】
0006812547.tif 000015
【図８】
0006812547.tif 000016
【図９】
0006812547.tif 000017
【図１０】
0006812547.tif 000018
【図１１】
0006812547.tif 000019
【図１２】
0006812547.tif 000020
【図１３】
0006812547.tif 000021